(57)【特許請求の範囲】
【請求項１】
ライセンスされていない周波数帯域中で動作している第１の移動体通信デバイスを動作させる方法において、
前記方法は、
第１の動作モードで動作している間、第２の移動体通信デバイスから第１のタイプのタイミング信号を受信することと、
前記第２の移動体通信デバイスからの前記受信したタイミング信号に基づいて、内部クロックを同期させることと、
前記内部クロックを同期させた後、第２の動作モードに切り替えることとを含み、
前記第１のタイプのタイミング信号は、グローバルタイミング信号ソースに同期されており、
前記第２の動作モードにおけるスリープ状態間隔は、前記第１の動作モードにおけるスリープ状態間隔よりも、持続時間がより長い方法。
【請求項２】
前記第２の移動体通信デバイスからの前記タイミング信号は、外部タイミング信号との同期を達成させた後、前記第２の通信デバイスによって送信されるタイミング情報を通信する請求項１記載の方法。
【請求項３】
前記外部タイミング信号は、グローバルポジショニング信号と、ｅＬｏｒａｎ信号と、ＬＯＲＡＮ−Ｃ信号と、ＣＤＭＡ２０００信号と、ＷＷＶＢ信号、ＤＴＶ信号と、ＬＴＥ信号とのうちの１つである請求項２記載の方法。
【請求項４】
前記第２の移動体通信デバイスからの前記タイミング信号が受信されなくなったときに、前記第１の動作モードに戻すことをさらに含む請求項１記載の方法。
【請求項５】
前記第２の移動体通信デバイスからの前記タイミング信号は、前記ライセンスされていない周波数帯域中で受信される請求項１記載の方法。
【請求項６】
前記第２の移動体通信デバイスからの前記タイミング信号は、ビーコン信号中で受信される請求項２記載の方法。
【請求項７】
第１の移動体通信デバイスにおいて、
第１の動作モードで動作している間、第２の移動体通信デバイスから第１のタイプのタイミング信号を受信する手段と、
前記第２の移動体通信デバイスからの前記受信したタイミング信号に基づいて、内部クロックを同期させる手段と、
内部クロックを同期させた後、第２の動作モードに切り替える手段とを具備し、
前記第１のタイプのタイミング信号は、グローバルタイミング信号ソースに同期されており、
前記第２の動作モードにおけるスリープ状態間隔は、前記第１の動作モードにおけるスリープ状態間隔よりも、持続時間がより長い第１の移動体通信デバイス。
【請求項８】
前記第２の移動体通信デバイスからの前記タイミング信号は、外部タイミング信号との同期を達成させた後、前記第２の通信デバイスによって送信されるタイミング情報を通信する請求項７記載の第１の移動体通信デバイス。
【請求項９】
前記外部タイミング信号は、グローバルポジショニング信号と、ｅＬｏｒａｎ信号と、ＬＯＲＡＮ−Ｃ信号と、ＣＤＭＡ２０００信号と、ＷＷＶＢ信号と、ＤＴＶ信号と、ＬＴＥ信号とのうちの１つである請求項８記載の第１の移動体通信デバイス。
【請求項１０】
前記第２の移動体通信デバイスからの前記タイミング信号が受信されなくなったときに、前記第１の動作モードに戻す手段をさらに具備する請求項７記載の第１の移動体通信デバイス。
【請求項１１】
前記第２の移動体通信デバイスからの前記タイミング信号は、前記ライセンスされていない周波数帯域中で受信される請求項７記載の第１の移動体通信デバイス。
【請求項１２】
前記第２の移動体通信デバイスからの前記タイミング信号は、ビーコン信号中で受信される請求項８記載の第１の移動体通信デバイス。
【請求項１３】
第１の移動体通信デバイスにおいて使用するためのコンピュータ実行可能命令を有するコンピュータ読み取り可能記憶媒体において、
前記コンピュータ実行可能命令は、
第１の動作モードで動作している間、第２の移動体通信デバイスから第１のタイプのタイミング信号を少なくとも１つのコンピュータに受信させるためのコードと、
前記第２の移動体通信デバイスからの前記受信したタイミング信号に基づいて、内部クロックを前記少なくとも１つのコンピュータに同期させるためのコードと、
内部クロックを同期させた後、第２の動作モードに前記少なくとも１つのコンピュータに切り替えさせるためのコードとを含むコンピュータ読み取り可能媒体を具備し、
前記第１のタイプのタイミング信号は、グローバルタイミング信号ソースに同期されており、
前記第２の動作モードにおけるスリープ状態間隔は、前記第１の動作モードにおけるスリープ状態間隔よりも、持続時間がより長いコンピュータ読み取り可能記憶媒体。
【請求項１４】
前記第２の移動体通信デバイスからの前記タイミング信号は、外部タイミング信号との同期を達成させた後、前記第２の通信デバイスによって送信されるタイミング情報を通信する請求項１３記載のコンピュータ読み取り可能記憶媒体。
【請求項１５】
前記外部タイミング信号は、グローバルポジショニング信号と、ｅＬｏｒａｎ信号と、ＬＯＲＡＮ−Ｃ信号と、ＣＤＭＡ２０００信号と、ＷＷＶＢ信号と、ＤＴＶ信号と、ＬＴＥ信号とのうちの１つである請求項１４記載のコンピュータ読み取り可能記憶媒体。
【請求項１６】
第１の移動体通信デバイスにおいて、
第１の動作モードで動作している間、第２の移動体通信デバイスから第１のタイプのタイミング信号を受信するようにと、
第２の移動体通信デバイスからの前記受信したタイミング信号に基づいて、内部クロックを同期させるようにと、
内部クロックを同期させた後、第２の動作モードに切り替えるように構成されている少なくとも１つのプロセッサと、
前記少なくとも１つのプロセッサに結合されているメモリとを具備し、
前記第１のタイプのタイミング信号は、グローバルタイミング信号ソースに同期されており、
前記第２の動作モードにおけるスリープ状態間隔は、前記第１の動作モードにおけるスリープ状態間隔よりも、持続時間がより長い第１の移動体通信デバイス。
【請求項１７】
前記第２の移動体通信デバイスからの前記タイミング信号は、外部タイミング信号との同期を達成させた後、前記第２の通信デバイスによって送信されるタイミング情報を通信する請求項１６記載の第１の移動体通信デバイス。
【請求項１８】
前記外部タイミング信号は、グローバルポジショニング信号と、ｅＬｏｒａｎ信号と、ＬＯＲＡＮ−Ｃ信号と、ＣＤＭＡ２０００信号と、ＷＷＶＢ信号と、ＤＴＶ信号と、ＬＴＥ信号とのうちの１つである請求項１７記載の第１の移動体通信デバイス。
【請求項１９】
前記少なくとも１つのプロセッサは、
前記第２の移動体通信デバイスからの前記タイミング信号が受信されなくなったときに、前記第１の動作モードに戻すようにさらに構成されている請求項１６記載の第１の移動体通信デバイス。
【請求項２０】
前記第２の移動体通信デバイスからの前記タイミング信号は、前記ライセンスされていない周波数帯域中で受信される請求項１７記載の第１の移動体通信デバイス。
【発明の詳細な説明】
【分野】
【０００１】
さまざまな実施形態は、ワイヤレス通信に関する。さらに詳細に述べると、移動体通信デバイスを同期させる方法および装置に関する。
【背景】
【０００２】
ＷｉＦｉチップは、典型的に、使用中に多くの電力を使い、ある種類のＷｉＦｉアプリケーションを、セルラデバイス上の既存の方法を使用してランすることを実行不可能にする。たとえ、いくつかの電力節約機能が提案されたとしても、一般的には、いくつかの電力節約機能はデバイスが受身モードにあるときでさえスタンバイ時間に大きく影響を与えず、セルラデバイス上のＷｉＦｉアプリケーションをランする電力の消費の点で効率が悪いままである。このような電力を多く使うアプリケーションの例は、ピア発見と、ルーティング情報交換と、トラフィック監視とを含む。電力消費問題の一部は、Ｗｉ−Ｆｉシステムにおける比較的低いレベルの同期と、他のデバイスからのアクティビティを監視するのに必要とされる比較的多い量の時間とに関連する。より高いレベルの同期を達成することができた場合には、監視時間が減少して、スリープ時間が増加し、電力消費が減少する可能性がある。先の説明に基づいて、タイミング同期を増加させ、したがって、例えば、同期が少ないデバイスと比較してスリープ時間の量を増加させることによって、潜在的にデバイス電力消費を減少させる方法および装置の必要性がある。
【概要】
【０００３】
ワイヤレス通信システムにおけるタイミング同期に関連する例示的な方法および装置を記述する。さまざまな方法および装置は、ライセンスされていない周波数スペクトル中で動作させる効率的なピアツーピアネットワークをサポートするのに良く適している。さまざまな方法および装置は、外部タイミングソースに関連するタイミング情報の伝播に向けられている。いくつかの実施形態は、異なる能力を持つデバイスが配備されているワイヤレス通信システムに良く適している。例えば、システムにおける、いくつかのデバイス、例えば、ハイエンドなデバイスは、非Ｗｉ−Ｆｉデバイスからのタイミング信号を受信するための、外部タイミング信号受信機、例えば、ＧＰＳ受信機を備えていてもよい。他のデバイス、例えば、ローエンドなデバイスは、非Ｗｉ−Ｆｉデバイスからのタイミング信号を受信するための外部信号受信機を備えていないかもしれない。例示的な方法および装置は、外部信号ソースによって送信されるタイプの信号をサポートする受信機が欠如しているデバイスによって、外部信号ソースに関する同期を促進する。
【０００４】
いくつかの実施形態では、移動体ワイヤレス通信デバイスは、直接的に受信することができない、外部タイミング信号、例えば、グローバルタイミング信号に関するタイミング同期を達成する。例えば、外部タイミング信号は、ＧＰＳ信号であり、移動体ワイヤレス通信デバイスは、ＧＰＳ受信機を備えていない。いくつかの実施形態では、移動体通信デバイスは、タイミング信号、例えば、第１のＷｉ−Ｆｉビーコンを受信して処理する。このタイミング信号、例えば、第１のＷｉ−Ｆｉビーコンは、外部タイミング信号、例えば、ＧＰＳ信号についてのタイミング情報を伝播している。さまざまな実施形態では、移動体通信デバイスは、例えば、移動体通信デバイスが発生および送信する第２のＷｉ−Ｆｉビーコン信号を通して、外部タイミング信号についてのタイミング情報をさらに伝播してもよく、時には伝播する。したがって、外部タイミング信号に同期された拡張されたネットワークが形成され、この拡張されたネットワークは、外部タイミング信号を直接的に受信することができるデバイスと、外部タイミング信号を直接的に受信することができないデバイスとの双方を含む。
【０００５】
いくつかの実施形態にしたがった、ライセンスされていない周波数帯域中で動作する第１の移動体通信デバイスを動作させる例示的な方法は、第１の動作モードで動作している間、第２の移動体通信デバイスから第１のタイプのタイミング信号を受信することと、第２の移動体通信デバイスからの受信したタイミング信号に基づいて、内部クロックを同期させることとを含み、前記第１のタイプのタイミング信号は、グローバルタイミング信号ソースに同期されている。例示的な方法は、いくつかの実施形態において、内部クロックを同期させた後、第２の動作モードに切り替えることをさらに含み、前記第２の動作モードにおけるスリープ状態間隔は、前記第１の動作モードにおけるスリープ状態間隔よりも、持続時間がより長い。
【０００６】
いくつかの実施形態にしたがった、第１の移動体通信デバイスは、第１の動作モードで動作している間、第２の移動体通信デバイスから第１のタイプのタイミング信号を受信するようにと、第２の移動体通信デバイスからの受信したタイミング信号に基づいて、内部クロックを同期させるようにと、内部クロックを同期させた後、第２の動作モードに切り替えるように構成されている少なくとも１つのプロセッサを具備し、前記第１のタイプのタイミング信号は、グローバルタイミング信号ソースと同期されており、前記第２の動作モードにおけるスリープ状態間隔は、前記第１の動作モードにおけるスリープ状態間隔よりも、持続時間がより長い。第１の移動体通信デバイスは、前記少なくとも１つのプロセッサに結合されているメモリをさらに具備する。
【０００７】
必ずしもすべてではないが、いくつかの実施形態では、利用可能なバッテリー電力と、伝播されるべきタイミング信号に基づく信号のソースと、所定の時間期間中に検出されたタイミング信号、例えば、ビーコン信号の数とに基づいて、タイミング同期信号の伝播を実行する。
【０００８】
上記の概要においてさまざまな実施形態について説明してきたが、必ずしも、すべての実施形態が同じ機能を含まないことや、上述した機能のうちのいくつは必要ないが、いくつかの実施形態では望ましいことがあることを正しく認識すべきである。さまざまな実施形態の、多数の付加的な機能、実施形態および利益を、後続する詳細な説明において説明する。
【図面の簡単な説明】
【０００９】
【図１】図１は、例示的な実施形態にしたがった、例示的なワイヤレスピアツーピア通信システムの図である。
【図２】図２は、図１の例示的なピアツーピアシステムにおける外部同期ソースを使用して、ピアツーピアデバイス間で高レベルの同期を提供する例を図示している図である。
【図３】図３は、図１の例示的なピアツーピアシステムにおける外部同期ソースを使用して、ピアツーピアデバイス間で高レベルの同期を提供する別の例を図示している図である。
【図４】図４は、図１の例示的なピアツーピアシステムにおける外部同期ソースを使用して、ピアツーピアデバイス間で高レベルの同期を提供する別の例を図示している図である。
【図５Ａ】図５Ａは、例示的な実施形態にしたがった、ライセンスされていない周波数帯域中で動作する第１の移動体通信デバイスを動作させる例示的な方法のフローチャートの第１の部分である。
【図５Ｂ】図５Ｂは、例示的な実施形態にしたがった、ライセンスされていない周波数帯域中で動作する第１の移動体通信デバイスを動作させる例示的な方法のフローチャートの第２の部分である。
【図５Ｃ】図５Ｃは、例示的な実施形態にしたがった、ライセンスされていない周波数帯域中で動作する第１の移動体通信デバイスを動作させる例示的な方法のフローチャートの第３の部分である。
【図５Ｄ】図５Ｄは、例示的な実施形態にしたがった、ライセンスされていない周波数帯域中で動作する第１の移動体通信デバイスを動作させる例示的な方法のフローチャートの第４の部分である。
【図６】図６は、例示的な実施形態にしたがった、例示的な移動体通信デバイスの図である。
【図７Ａ】図７は、図６の移動体通信デバイスにおいて使用することができる、そして、いくつかの実施形態において使用される、モジュールのアセンブリである。
【図７Ｂ】図７は、図６の移動体通信デバイスにおいて使用することができる、そして、いくつかの実施形態において使用される、モジュールのアセンブリである。
【図８】図８は、移動体通信がグローバルタイミングソースに関して同期されていない第１の動作モードで、例示的な移動体通信デバイスによって使用される例示的なタイミング構成と、移動体通信がグローバルタイミングソースに関して同期されている第２の動作モードで、例示的な移動体通信デバイスによって使用される異なる例示的なタイミング構成とを示している。
【図９】図９は、タイミング同期情報を通信するために、いくつかの例示的な実施形態において使用される、異なる例示的なタイミング信号をリストアップしているテーブルである。
【図１０】図１０は、例示的なタイミング信号の、例えば、Ｗｉ−Ｆｉ準拠ビーコンの、例示的なフォーマットを図示している図である。
【図１１】図１１は、外部タイミング信号ソースに関して同期されている第１のピアツーピアネットワーク、外部タイミング信号ソースに関して同期されていない第２のピアツーピアネットワーク、外部タイミング同期ソースに関して同期されていない第３のピアツーピアネットワークである、例示的な外部タイミング信号ソースを図示している。
【図１２】図１２は、ビーコンを通しての、外部タイミング信号ソースタイミング情報の伝播を図示している。
【図１３】図１３は、外部信号ソース受信機がない移動体通信デバイスが、外部タイミング信号ソースに関して同期された拡張されたピアツーピアネットワークを図示している。
【詳細な説明】
【００１０】
図１は、例示的な実施形態にしたがった、例示的なワイヤレスピアツーピア通信システム１００の図である。例示的なワイヤレスピアツーピア通信システム１００は、複数のワイヤレス通信デバイス（デバイス１ １０２、デバイス２ １０４、デバイス３ １０６、デバイス４ １０８、デバイス５ １１０、デバイス６ １１２、デバイス７ １１４、．．．、デバイスＮ １１６を含む。システム１００におけるワイヤレス通信デバイスのうちのいくつか、例えば、デバイス４ １０８およびデバイス７ １１４は、それぞれ、インターネット、および／または、他のネットワークノードへのインターフェース（１１８、１２０）を備える。システム１００におけるワイヤレス通信デバイスのうちのいくつか、例えば、デバイス１ １０２、デバイス２ １０４、デバイス３ １０６、デバイス４ １０８、デバイス５ １１０、デバイス６ １１２、デバイス７ １１４、およびデバイスＮ １１６は、移動体ワイヤレス通信デバイス、例えば、ハンドヘルド移動体デバイスである。システム１００における通信デバイスのいくつか、例えば、デバイス２ １０４、デバイス４ １０８、およびデバイス６ １１２は、それぞれ、外部同期ソース受信機モジュール（１２８、１３０、１３２）を備えている。システム１００における他の通信デバイス、例えば、デバイス１ １０２、デバイス３ １０６、デバイス５ １１０、デバイス７ １１４、およびデバイスＮ １１６は、外部同期ソースからの同期を直接的に達成するモジュールを備えていない。
【００１１】
いくつかの実施形態では、外部同期ソース信号は、例えば、１つ以上のＧＰＳ衛星（ＧＰＳ衛星１ １２２、．．．、ＧＰＳ衛星Ｎ １２４）からの、ＧＰＳ信号である。いくつかの実施形態では、外部同期ソース信号は、地上外部同期ソース信号、例えば、ｅＬＯＲＡＮ信号またはＬＯＲＡＮ−Ｃ信号、あるいはＣＤＭＡ２０００信号またはＷＷＶＢ信号またはＤＴＶ信号またはＬＴＥ信号である。例示的なノード１２６は、例示的な地上同期ソースである。いくつかの実施形態では、外部同期ソースは、水域上で位置付けられていてもよく、例えば、プラットフォーム上に位置していてもよく、または、水上乗り物の中で位置付けられていてもよい。いくつかの実施形態では、外部同期ソースは、空中で位置付けられていてもよく、例えば、航空の乗り物の中で位置していてもよい。
【００１２】
図２は、ピアツーピアデバイス間で高レベルの同期を提供するために、図１の例示的なピアツーピアシステム１００において外部同期ソースを使用する例を図示している図２００である。これは、ピアツーピアデバイスが、監視間隔を減少させることと、スリープ時間を増加させることとを可能にし、例えば、結果として、バッテリー消費を減少させることになる。この例では、ＧＰＳ衛星（１２２、１２４）が、それぞれ、ＧＰＳ信号（２０２、２０４）を送信する。デバイス２ １０４は、外部同期ソース受信機モジュール、例えば、ＧＰＳ処理モジュールを備えている。デバイス２ １０４の外部同期ソース受信機モジュール１２８は、ＧＰＳ信号（２０２、２０４）を受信し、ＧＰＳ時間基準に関する同期を決定する。デバイス２ １０４は、タイミング同期情報を通信するビーコン信号２０６を発生および送信する。ビーコン信号２０６は、ビーコン信号２０６中で通信されているタイミング同期情報が直接的なＧＰＳ受信に基づくことを示している情報２０８も通信する。
【００１３】
送信されたビーコン信号２０６は、デバイス３ １０６によって検出される。デバイス３ １０６は、ビーコン２０６によって通信されたタイミング情報に基づいて、高レベルのタイミング同期を達成する。デバイス３ １０６は、タイミング同期情報を通信するビーコン信号２１０を発生させる。ビーコン信号２１０は、ビーコン信号２１０中で通信されているタイミング同期情報が、受信された中継同期ビーコンに、例えば、間接の情報に基づくことを示している情報２１２も通信する。
【００１４】
ビーコン信号２１０は、デバイス１ １０２とデバイスＮ １１６とによって受信されて発見される。デバイス（１０２、１１６）は、ビーコン信号２１０によって通信されたタイミング同期情報を使用して、高レベルのタイミング同期を達成する。デバイス（１０２、１１６）は、ビーコン信号２１２を発生させたデバイスが、タイミング同期に基づいているＧＰＳ信号を直接的に受信しなかったことを示している情報２１２を復元させる。したがって、デバイス（１０２、１１６）は、タイミング同期情報をさらに伝播するビーコン信号を発生および送信しない。
【００１５】
デバイス５ １１０も、ビーコン信号２０６を受信して復元させる。しかしながら、デバイス５ １１０は、ブロック２１４によって示されているように、そのバッテリーステータスと、その現在のバッテリーステータス＝低とを監視している。したがって、デバイス５ １１０は、タイミング同期情報を伝播するためのビーコン信号を発生および送信しないことを決める。このような方法で、デバイス５ １１０は、その残りのバッテリーエネルギーを節約する。
【００１６】
デバイス７ １１４も、ビーコン信号２０６を受信して発見する。しかしながら、受信したビーコン信号電力レベルは、ブロック２１６によって示されているように、高く、例えば、予め定められたしきい値より高い。したがって、デバイス７ １１４は、タイミング同期情報を伝播するためのビーコン信号を発生および送信しないことを決める。デバイス７ １１４がビーコンを送信した場合に、デバイス７ １１４は、カバレッジ範囲に関して、ビーコン２０６との実質的なオーバーラップになるだろうことを予期する。したがって、デバイス７ １１４は、不必要なビーコンの送信による、そのバッテリーエネルギーの浪費をしない。
【００１７】
図３は、図１の例示的なピアツーピアシステム１００における外部同期ソースを使用して、ピアツーピアデバイス間で高レベルの同期を提供する別の例を図示している図３００である。この例では、ＧＰＳ衛星（１２２、１２４）が、それぞれ、ＧＰＳ信号（２０２、２０４）を送信する。デバイス２ １０４は、外部同期ソース受信機モジュールを、例えば、ＧＰＳ処理モジュールを備えている。デバイス２ １０４の外部同期ソース受信機モジュール１２８が、ＧＰＳ信号（２０２、２０４）を受信して、ＧＰＳ時間基準に関する同期を決定する。デバイス２ １０４は、タイミング同期情報を通信するビーコン信号２０６を発生および送信する。ビーコン信号２０６は、ビーコン信号２０６中で通信されているタイミング同期情報が、デバイス２ １０４による直接的なＧＰＳ受信に基づくことを示している情報２０８も通信する。
【００１８】
送信されたビーコン信号２０６は、デバイス３ １０６と、デバイス５ １１０と、デバイス７ １１４と、デバイスＮ １１６とによって検出される。デバイス３は、ビーコン２０６によって通信されたタイミング情報に基づいて、高レベルのタイミング同期を達成する。デバイス３ １０６が、タイミング同期情報を通信するビーコン信号３１０を発生させる。ビーコン信号３１０は、ビーコン信号３１０中で通信されているタイミング同期情報が、受信した中継同期ビーコンに、例えば、間接の情報に基づくことを示している情報３１２も通信する。いくつかの実施形態では、タイミング同期ビーコンを送信することを決めるデバイスが、循環するタイミング構成における時間間隔を選択して、既に送信されている他のビーコンを補完するそのビーコンを送信する。例えば、デバイス３は、デバイス２ １０４からのビーコン２０６の予め定められた間隔とオーバーラップしていない予め定められた間隔で、そのビーコンを送信することを選択してもよい。
【００１９】
デバイスＮ１１６は、ビーコン２０６によって通信されたタイミング情報に基づいて、高レベルのタイミング同期を達成する。デバイスＮ １１６は、タイミング同期情報を通信するビーコン信号３１１を発生させる。ビーコン信号３１１は、ビーコン信号３１１中で通信されているタイミング同期情報が、受信した中継同期ビーコンに、例えば、間接の情報に基づくことを示している情報３１３も通信する。いくつかの実施形態では、タイミング同期ビーコンを送信することを決めるデバイスが、循環するタイミング構成における時間間隔を選択して、既に送信されている他のビーコンを補完するそのビーコンを送信する。例えば、デバイス３ １０６は、デバイス２ １０４からのビーコン２０６の予め定められた間隔とオーバーラップしていない予め定められた間隔で、そのビーコンを送信することを選択してもよい。
【００２０】
デバイス５ １１０は、ブロック２１４によって示されているように、そのバッテリーステータスと、その現在のバッテリーステータス＝低とを監視している。したがって、デバイス５ １１０は、タイミング同期情報を伝播するためのビーコン信号を発生および送信しないことを決める。このような方法で、デバイス５ １１０は、その残りのバッテリーエネルギーを節約する。
【００２１】
デバイス７ １１４では、ビーコン２０６に対応している受信したビーコン信号電力レベルは高く、例えば、ブロック２１６によって示されているように、予め定められたしきい値より高い。したがって、デバイス７ １１４は、タイミング同期情報を伝播するためのビーコン信号を発生および送信しないことを決める。デバイス７ １１４がビーコンを送信した場合には、デバイス７ １１４は、カバレッジ範囲に関して、ビーコン２０６との実質的なオーバーラップになることを予期する。したがって、デバイス７ １１４は、不必要なビーコンの送信による、そのバッテリーエネルギーの浪費をしない。
【００２２】
図４は、図１の例示的なピアツーピアシステム１００における外部同期ソースを使用して、ピアツーピアデバイス間で高レベルの同期を提供する別の例を図示している図４００である。この例では、地上外部同期ソース１２６が、例えば、ｅＬＯＲＡＮまたはＬＯＲＡＮ−ＣまたはＣＤＭＡ２０００またはＷＷＶＢ信号またはＤＴＶ信号またはＬＴＥ信号ソースが、外部同期信号４０２を送信する。この例示の目的のために、信号４０２は、ＬＯＲＡＮ−Ｃ信号であると考える。
【００２３】
デバイス２ １０４は、外部同期ソース受信機モジュール１２８を備えている。デバイス２ １０４の外部同期ソース受信機モジュール１２８が外部同期信号４０２を受信して、ＬＯＲＡＮ−Ｃ基準に関する同期を決定する。デバイス２ １０４は、タイミング同期情報を通信するビーコン信号４０６を発生および送信する。ビーコン信号４０６中で通信されているタイミング同期情報が、デバイス２ １０４による、ＬＯＲＡＮ−Ｃ信号の直接的な受信に基づくことを示している情報４０８も、ビーコン信号４０６が通信する。
【００２４】
デバイス４ １０８は、外部同期ソース受信機モジュール１３０を備えている。デバイス４ １０８の外部同期ソース受信機モジュール１３０が外部同期信号４０２を受信して、ＬＯＲＡＮ−Ｃ基準に関する同期を決定する。デバイス４ １０８が、タイミング同期情報を通信するビーコン信号４０８を発生および送信する。ビーコン信号４０８中で通信されているタイミング同期情報が、デバイス４ １０８による、ＬＯＲＡＮ−Ｃ信号の直接的な受信に基づくことを示している情報４１０も、ビーコン信号４０８が通信する。
【００２５】
デバイス６ １１２は、外部同期ソース受信機モジュール１３２を備えている。デバイス６ １１２の外部同期ソース受信機モジュール１３２が外部同期信号４０２を受信して、ＬＯＲＡＮ−Ｃ基準に関する同期を決定する。デバイス６ １１２は、タイミング同期情報を通信するビーコン信号４１２を発生および送信する。ビーコン信号４１２中で通信されているタイミング同期情報は、デバイス６ １１２による、ＬＯＲＡＮ−Ｃ信号の直接的な受信に基づくことを示している情報４１４も、ビーコン信号４１２が通信する。
【００２６】
送信されたビーコン信号（４０４、４０８、４１２）は、デバイス１ １０２によって検出される。デバイス１ １０２は、ビーコン（４０４、４０８、４１２）によって通信されたタイミング情報に基づいて、高レベルのタイミング同期を達成する。ボックス４１６によって示されているように、外部同期信号の直接的な受信に基づいて発生された受信したタイミング同期信号の数が３つであることを、デバイス１ １０２が決定する。デバイス１ １０２は、外部同期信号の直接的な受信に基づいて発生された、受信したタイミング同期信号の決定された数の関数として、タイミング同期ビーコンを送信するか否かの決定を行う。この例では、決定された数が、３つよりも多いときに、または、３つに等しいときに、デバイス１ １０２は、タイミング同期ビーコンを送信するのをやめることを決めるので、この例では、デバイス１ １０２は、タイミング同期ビーコンを送信しないと考える。このアプローチに対する原理は、外部同期ソース受信モジュールを備えていない、近くにある他のデバイスへのタイミング同期情報の転送をサポートするために、外部信号ソースの直接的な受信に基づく、十分な数のタイミング同期ビーコンがデバイス１ １０２の近くに存在することである。デバイス１ １０２が、タイミング同期ビーコンを発生および送信した場合、通信されるタイミング同期情報は、間接のタイミング情報であるだろう。デバイス１ １０２からの中継タイプのビーコンからのタイミング同期情報は、一般的に、外部タイミング信号の直接的な受信に基づいて発生されたビーコンからのタイミング同期情報よりも精度が低くなるだろう。加えて、デバイス１０２からのビーコンは、潜在的な利益がほとんどなく、または、潜在的な利益なく、価値のあるエアリンクリソースを占有するだろう。
【００２７】
送信されたビーコン信号４１２は、デバイスＮ１１６によって検出される。デバイスＮ１１６は、ビーコン４１２によって通信されたタイミング情報に基づいて、高レベルのタイミング同期を達成する。ボックス４１７によって示されているように、外部同期信号の直接的な受信に基づいて発生された受信したタイミング同期信号の数が１つであることを、デバイスＮ １１６が決定する。デバイスＮ １１６は、外部同期信号の直接的な受信に基づいて発生された、受信したタイミング同期信号の決定された数の関数として、タイミング同期ビーコンを送信するか否かの決定を行う。この例では、決定された数が、３つよりも多いときに、または、３つに等しいときに、デバイスＮ １０６が、タイミング同期ビーコンを送信するのをやめることを決めると考える。したがって、この例では、デバイスＮ １１６は、タイミング同期ビーコン４１８を発生および送信する。タイミング同期ビーコンのソースは、受信された中継同期ビーコンであり、そして、デバイスＮ １１６による、外部同期信号４０２の直接的な受信でないことを示している情報４２０を、ビーコン４１８は含む。
【００２８】
デバイス５ １１０が、ビーコン信号４１８を受信する。デバイス５ １１０は、ビーコン４１８によって通信されたタイミング情報に基づいて、高レベルのタイミング同期を達成する。ビーコン信号４１８が受信した中継同期ビーコンに基づくことを示している情報４２０を、デバイス５ １１０がビーコン信号４１８から復元させる。このようなシナリオでは、デバイス５は、タイミング同期ビーコンを発生および送信しないことを決定する。一般的に、タイミング同期情報を通信する中継プロセスでは、それぞれのステージに対して、外部ソースに関するタイミング同期情報のレベルの劣化が予期され得る。この例では、チェーン中の第１のデバイスが、いったん、外部同期信号の直接的な受信から取り除かれると、タイミング同期ビーコンを送信することが条件付きで許可される。しかしながら、二度は、チェーン中のデバイスが、ビーコン信号中のタイミング同期情報をさらに伝播することは許されない。
【００２９】
他の何らかの実施形態では、より高いレベルの、タイミング同期の伝播が許可される。例えば、このような１つの実施形態では、外部タイミング同期ソースの直接的な受信から二度取り除かれたデバイスはまた、タイミング同期ビーコン信号を送信することが条件付きで許されるが、外部タイミング同期信号の直接的な受信から三度取り除かれたデバイスは、タイミング同期情報をさらに伝播することは許可されない。いくつかのこのような実施形態では、タイミング同期ビーコンが、外部同期信号を直接的に受信したデバイスによって発生されたか否かを、または、タイミング同期ビーコンが、中継されたタイミング同期情報に基づいているか否かを示している情報を、タイミング同期ビーコンが通信する。いくつかのこのような実施形態では、ビーコンが、中継されたタイミング同期情報に基づくときに、タイミング同期ビーコンは、例えば、一度取り除かれると、または、二度取り除かれると、外部同期ソースからの距離のレベルをさらに通信する。
【００３０】
図５Ａと、図５Ｂと、図５Ｃと、図５Ｄとを組み合わせたものからなる図５は、例示的な実施形態にしたがった、ライセンスされていない周波数帯域中で動作する第１の移動体通信デバイスを動作させる例示的な方法のフローチャート５００である。ステップ５０２において動作が開始し、ステップ５０２では、第１の通信デバイスが電源投入されて初期化される。動作は、ステップ５０２からステップ５０４に進む。動作はまた、接続しているノードＣ５６４を通して、ステップ５０２からステップ５６６に進む。
【００３１】
ステップ５０４に戻ると、ステップ５０４において、第１の移動体通信デバイスが、第１の動作モードで動作している間、第２の移動体通信デバイスから第１のタイプのタイミング信号を受信する。前記第１のタイプのタイミング信号は、グローバルタイミング信号ソースに同期されている。いくつかの実施形態では、第２の移動体通信デバイスからの第１のタイプのタイミング信号が、タイミング情報を通信し、このタイミング情報は、外部タイミング信号との同期を達成させた後に第２の移動体通信デバイスによって送信される。いくつかのこのような実施形態では、外部タイミング信号は、グローバルポジショニング信号と、ｅＬｏｒａｎ信号と、ＬＯＲＡＮ−Ｃ信号と、ＣＤＭＡ２０００信号と、ＷＷＶＢ信号と、ＤＴＶ信号と、ＬＴＥ信号とのうちの１つである。いくつかの実施形態では、第１の移動体通信デバイスは、外部タイミング信号を受信するための受信機を備えていない。
【００３２】
さまざまな実施形態では、第２の移動体通信デバイスからの第１のタイプのタイミング信号は、前記ライセンスされていない周波数帯域中で受信される。いくつかの実施形態では、第２の移動体通信デバイスからの第１のタイプのタイミング信号は、ビーコン信号中で受信される。いくつかの実施形態では、前記ビーコン信号は、８０２．１１ビーコンフレームを通信する。他の実施形態では、前記ビーコン信号は、狭帯域の高い電力信号である。さまざまな実施形態では、前記ビーコン信号は、タイミングを、および／または、周波数同期を提供するように設計されている信号である。いくつかの実施形態では、ビーコン信号は、ＷｉＦｉ準拠信号である。いくつかの実施形態では、ビーコン信号は、グローバルタイミング信号に同期されていることを明確に示している。いくつかのこのような実施形態では、グローバルタイミング信号は、グローバルポジショニング信号である。いくつかの実施形態では、ビーコン信号は、ビーコンの周期性情報を通信する。いくつかのこのような実施形態では、ビーコンの周期性情報は、ビーコン信号の期間である。さまざまな実施形態では、通信されるビーコンの周期性情報は、複数の予め定められた代替的なビーコン期間のうちの１つを識別する。ビーコンの周期性情報を発見するデバイスは、ビーコンの周期性情報を使用して、スリープ時間と、アウェークするときとを決定することができ、例えば、したがって、電力を消費することができる。動作は、ステップ５０４からステップ５０６に進む。
【００３３】
ステップ５０６において、第１の移動体通信デバイスが、第２の移動体通信デバイスから受信したタイミング信号に基づいて、初期クロックを同期させる。動作は、ステップ５０６からステップ５０８に進む。ステップ５０８において、第１の移動体通信デバイスが、第２の動作モードに切り替える。ここでは、前記第２の動作モードにおけるスリープ状態間隔は、前記第１の動作モードにおけるスリープ状態間隔よりも、持続時間がより長い。いくつかの実施形態では、第２の動作モードにおけるスリープ状態間隔は、第１の動作モードにおけるスリープ状態間隔よりも１０倍長い。いくつかのこのような実施形態では、第２の動作モードにおけるスリープ状態間隔は、第１の動作モードにおけるスリープ状態間隔よりも、２０倍、３０倍、４０倍、または、さらには５０倍長い。いくつかの実施形態では、第２の動作モードにあるとき、第１の移動体通信デバイスは、第１の動作モードにあるときよりも、少なくとも平均して１０倍の量のスリープ時間を持つ。いくつかの実施形態では、第２の動作モードにあるときのスリープ時間の量は、少なくとも平均して、２０倍、３０倍、４０倍、または、５０倍さえもあり、第１の移動体通信デバイスが第１の動作モードにあるときに生じるものである。いくつかの実施形態では、第１の動作モードは、第１に同期される動作モードであり、第２の動作モードは、第２の同期される動作モードであり、第１に同期される動作モードは、前記第２の同期された動作モードよりも、より低いレベルの同期に対応する。動作は、接続しているノードＡ５２０を通して、ステップ５０８からステップ５１０に進み、ステップ５０８から、ステップ５２２と、ステップ５２４と、ステップ５２８と、ステップ５３８とに進む。
【００３４】
ステップ５１０に戻ると、ステップ５１０において、第１の移動体通信デバイスが、第２の移動体通信デバイスからの第１のタイプのタイミング信号を監視する。ステップ５１０は、ステップ５１２を含んでいてもよく、時には含んでおり、このステップ５１２において、第１の移動体通信デバイスが、第２の移動体通信デバイスから、第１のタイプのタイミング信号を受信する。動作は、ステップ５１２からステップ５１４に進む。
【００３５】
ステップ５１４において、第１の移動体通信デバイスは、第２の移動体通信デバイスからの第１のタイプのタイミング信号が、５１０の監視によって検出されているか否かに基づいて異なって進むように動作される。第２の移動体通信デバイスから第１のタイプのタイミング信号が受信されていた場合、動作は、付加的な監視のために、ステップ５１４からステップ５１０に進み、第１の移動体通信デバイスは、第２の動作モードのままである。しかしながら、ステップ５１０の監視において、第１のタイプのタイミング信号が第２の移動体通信デバイスから受信されていなかった場合、動作は、ステップ５１４からステップ５１６に進む。
【００３６】
ステップ５１６において、第１の移動体通信デバイスが、第１の動作モードに切り替える。動作は、ステップ５１６からステップ５１８に進む。ステップ５１８において、前記第１の動作モードにある間、第１の移動体通信デバイスが、第２のタイプのタイミング信号に基づいて、他のデバイスと同期させる。いくつかの実施形態では、第２のタイプのタイミング信号は、タイミング信号、例えば、ビーコン信号であり、これは、グローバルタイミング信号ソースに同期されていない。第２のタイプのタイミング信号は、いくつかの実施形態では、別のデバイスから、または、第１の移動体通信デバイスからソース供給されてもよい。例えば、第１の移動体通信デバイスが、その近くにある別のデバイスから第１のタイプのタイミング信号を検出した場合、第１の移動体通信デバイスは、同期のために、その受信した信号を使用してもよい。しかしながら、第１の移動体通信デバイスが第１のタイプのタイミング信号を検出しない場合、第１の移動体通信デバイスは、他のデバイスが同期のために基準として使用してもよい第１のタイプのタイミング信号を発生および送信してもよい。第１の動作モードにある間、第１の移動体通信デバイスが、いくつかの実施形態では、他のデバイスからの第１のタイプのタイミング信号を監視する。いくつかのこのような実施形態では、第１のタイプのタイミング信号の受信の際に、第１の移動体通信デバイスは、受信した第１のタイプのタイミング信号に基づいて、その内部クロックを同期させて第２の動作モードに切り替える。
【００３７】
ステップ５６６に戻ると、ステップ５６６において、第１の移動体通信デバイスが、その現在の動作モードを決定して、決定の関数として進む。現在の動作モードが第１の動作モードである場合、動作は、ステップ５６６からステップ５６８に進み、ステップ５６８において、第１の移動体通信デバイスが、第１の持続時間を持つスリープ状態間隔を実現する。しかしながら、現在の動作モードが第２の動作モードである場合、動作は、ステップ５６６からステップ５７０に進み、ステップ５７０において、第１の移動体通信デバイスが、第２の持続時間を持つスリープ状態間隔を実現する。前記第２の持続時間は、前記第１の持続時間よりもより長い。動作は、ステップ５６８またはステップ５７０からステップ５６６に進む。
【００３８】
ステップ５２２に戻ると、現行ベースで実行されるステップ５２２において、第１の移動体通信デバイスが、残りのバッテリー電力を監視する。バッテリー電力５３０は、ステップ５２２の出力である。
【００３９】
現行ベースで実行されるステップ５２４において、第１の移動体通信デバイスが、現行ベースで受信されている第１のタイプのタイミング信号の数を追跡する。ステップ５２４は、ステップ５２６を含み、このステップ５２６において、第１の移動体通信デバイスが、外部タイミング信号の直接的な受信に基づいて外部タイミング信号と同期させる他の通信デバイスから、現行ベースで受信されている第１のタイプのタイミング信号の数を追跡する。この例示的な実施形態では、第１のタイプのタイミング信号を送信するデバイスが、基準ソース信号である外部タイミング信号を直接的に受信したか否かに基づく、第１のタイプのタイミング信号の２つのサブカテゴリがある。受信した直接的な受信ベースの第１のタイプのタイミング信号の数５３２は、ステップ５２６の出力である。受信した第１のタイプのタイミング信号の数５３４は、ステップ５２４の出力である。
【００４０】
現行ベースで実行されるステップ５２８において、第１の移動体通信デバイスが、受信したタイミング信号の電力レベルを、例えば、第２の移動体通信デバイスから、最も最近に受信した第１のタイプのタイミング信号の電力レベルを決定する。受信したタイミング信号の電力レベル５３６は、ステップ５２８の出力である。
【００４１】
ステップ５３８に戻ると、ステップ５３８において、前記第２の移動体通信デバイスが、前記外部タイミング信号の直接的な受信に基づいて、または、外部タイミング信号を受信した別の通信デバイスからの信号に基づいて、前記外部タイミング信号と同期されているか否かを、第１の移動体通信デバイスが決定する。いくつかの実施形態では、タイミング同期に対する基準が、第２の移動体通信デバイスによって送信される情報によって通信される。いくつかのこのような実施形態では、第２の移動体通信デバイスからの第１のタイプのタイミング信号は、ビーコン信号であり、このビーコン信号は、ビーコン信号のタイミングの送信を制御するために使用されるタイミング同期基準を示している情報を含む。ステップ５３８は、サブステップ５４０を含み、このサブステップ５４０では、前記第２の移動体通信デバイスが、前記外部タイミング信号の直接的な受信に基づいて、または、前記外部タイミング信号を受信した別の通信デバイスからの信号に基づいて、前記外部タイミング信号と同期されているか否かを示している情報を、第１の移動体通信デバイスが復元させる。いくつかの実施形態では、ステップ５４０は、第２の移動体通信デバイスの第１のタイプの受信したタイミング信号を処理すること、例えば、デコードすることを含む。ステップ５４２および５４６は、いくつかの実施形態中で含まれているオプション的なステップである。実施形態において、この実施形態ではステップ５４２および５４６は省略され、動作は、ステップ５３８からステップ５４４に進む。実施形態において、この実施形態ではステップ５４２および５４６が含まれており、動作は、ステップ５３８からステップ５４２に進む。
【００４２】
ステップ５３８の決定が、外部タイミング信号の直接的な受信に基づいて第２の移動体通信デバイスが外部タイミング信号と同期されたことである場合、動作は、ステップ５４２からステップ５４４に進む。ステップ５４４において、第１の移動体通信デバイスが、前記第２の動作モードの間、タイミング同期信号を周期的に送信するか否かを決める。バッテリー電力５３２と、受信した直接的な受信ベースの第１のタイプのタイミング信号の数５３２と、受信した第１のタイプのタイミング信号の数５３４と、受信したタイミング信号電力レベル５３６は、ステップ５４４への入力であり、ステップ５４４の決定プロセスにおいて使用される。いくつかの実施形態では、タイミング同期信号を周期的に送信するか否かの決定は、残りのバッテリー電力の関数である。例えば、残りのバッテリー電力がしきい値よりも低い場合、第１の移動体通信デバイスは、タイミング同期信号を送信しないことを決める。さまざまな実施形態では、タイミング同期信号を送信するか否かの決定は、第２の移動体通信デバイスから受信した第１のタイプのタイミング信号の強度の関数である。例えば、第２の移動体通信デバイスから受信した第１のタイプのタイミング信号が、あるしきい値の電力レベル、例えば、予め定められた電力のしきい値レベルより高い場合、第２の移動体通信デバイスからの第１のタイプのタイミング同期信号と第１の移動体通信デバイスからの送信されたタイミング同期信号とのカバレッジエリア中で実質的なオーバーラップになる可能性があるので、いくつかの実施形態では、第１の移動体通信デバイスは、タイミング同期信号を送信しないことを決定する。いくつかの実施形態では、タイミング同期信号を送信するか否かの決定は、他の通信デバイスから周期的ベースで受信されている第１のタイプのタイミング同期信号の数の関数である。いくつかの実施形態では、タイミング同期信号を送信するか否かの決定は、他の通信デバイスから周期的ベースで受信されている、外部タイミング信号の直接的な受信を通信する第１のタイプのタイミング同期信号の数の関数である。動作は、接続しているノードＢ５４８を通して、ステップ５４４からステップ５５０に進む。
【００４３】
ステップ５４４の決定がタイミング同期信号を送信することだった場合、動作は、ステップ５５０からステップ５５２に進む。しかしながら、ステップ５４４の決定がタイミング同期信号を送信するのをやめることだった場合、動作は、ステップ５５０からステップ５６２に進む。ステップ５６２において、第１の移動体通信デバイスは、予め定められた時間間隔での前記外部ソースとの同期を示しているタイミング同期信号を送信するのをやめるように制御される。
【００４４】
ステップ５５２に戻ると、ステップ５５２では、第１の移動体通信デバイスが、残りのバッテリー電力の量と、第２の移動体通信デバイスから受信した第１のタイプのタイミング信号の周期性とのうちの少なくとも１つの関数として、送信されるべきタイミング同期信号の周期性を決定する。いくつかのこのような実施形態では、第１の移動体通信デバイスが、残りのバッテリー電力の量と、第２の移動体通信デバイスを含む複数の通信デバイスから受信した第１のタイプのタイミング信号の周期性と、のうちの少なくとも１つの関数として送信されるべきタイミング同期信号の周期性を決定する。いくつかの実施形態では、残りのバッテリー電力がしきい値より低いときには、第１の移動体通信デバイスは、電力を節約するために、残りのバッテリー電力がしきい値より高いときよりもより低い周波数で送信する。さまざまな実施形態では、複数のレートの移行点に対応する複数の電力しきい値レベルが存在する。いくつかの実施形態では、第１の移動体通信が、他の受信したタイミング同期信号を補完する態様で、タイミング同期信号を送信することを決定する。例えば、第１の移動体通信デバイスは、第２の移動体通信デバイスから受信した第１のタイプのタイミング信号間に埋めるように、スペーシング、および／または、間隔期間でタイミング同期信号を送信する。いくつかの実施形態では、ステップ５５２の決定は、循環するピアツーピアタイミング構成における特定の間隔または特定の位置を識別することを含み、この間、第１の移動体通信デバイスは、発生されたタイミング同期信号を送信すべきである。タイミング同期信号は、例えば、第１の移動体通信デバイスによる、外部タイミング信号の直接的な受信を示さない第１のタイプのタイミング信号である。動作は、ステップ５５２からステップ５５４に進む。
【００４５】
ステップ５５４において、第１の移動体通信デバイスが、前記タイミング同期信号を発生させる。ステップ５５４は、ステップ５５６を含み、このステップ５５６において、前記タイミング同期信号が、前記外部タイミング信号を受信した別の通信デバイスからの信号に基づくことを示している情報を、第１の移動体通信デバイスが前記タイミング同期信号中に含める。動作は、ステップ５５４からステップ５５８に進む。
【００４６】
ステップ５５８において、第１の移動体通信デバイスが、発生されたタイミング同期信号を送信する。ステップ５５８は、ステップ５６０を含み、このステップ５６０において、第１の移動体通信デバイスは、前記タイミング同期信号が、前記外部タイミング信号を受信した別の通信デバイスからの信号に基づくことを示している情報を送信する。動作は、ステップ５５８からステップ５５４に進む。ステップ５５８の送信は、時々、ステップ５５２の決定にしたがって実行される。
【００４７】
ステップ５４６に戻ると、ステップ５３８の決定が、外部タイミング信号の直接的な受信に基づいて第２の移動体通信デバイスが外部タイミング信号と同期されていないことである場合、動作は、ステップ５４２からステップ５４６に進む。ステップ５４６では、第１の移動体通信デバイスは、予め定められた時間間隔での前記外部タイミングソースとの同期を示しているタイミング同期信号を送信するのをやめるように制御される。
【００４８】
図６は、例示的な実施形態にしたがった、例示的な移動体通信デバイスの図６００である。例示的な移動体通信デバイス６００は、例えば、図１のワイヤレス通信デバイスのうちの１つである。例示的な移動体通信デバイス６００は、図５のフローチャート５００にしたがった方法を実現してもよく、そして時には実現する。
【００４９】
移動体通信デバイス６００は、バス６０９を通して共に結合されている、プロセッサ６０２とメモリ６０４とを備えており、このバス６０９を通して、さまざまなエレメント（６０２、６０４）が、データおよび情報を交換してもよい。通信デバイス６００は、入力モジュール６０６と出力モジュール６０８とをさらに備えており、これらは、示されているように、プロセッサ６０２に結合されていてもよい。しかしながら、いくつかの実施形態では、入力モジュール６０６および出力モジュール６０８は、プロセッサ６０２の内部に位置付けられている。入力モジュール６０６は、入力信号を受け取ることができる。入力モジュール６０６は、入力を受け取るための、ワイヤレス受信機、および／または、ワイヤードまたは光入力インターフェースを備えることができ、そして、いくつかの実施形態では備えている。出力モジュール６０８は、出力を送信するための、ワイヤレス送信機、および／または、ワイヤードまたは光出力インターフェースを備えていてもよく、そして、いくつかの実施形態では備えている。
【００５０】
プロセッサ６０２は、第１の動作モードで動作している間、第２の移動体通信デバイスから第１のタイプのタイミング信号を受信し、前記第１のタイプのタイミング信号がグローバルタイミング信号ソースに同期されているようにと、第２の移動体通信デバイスから受信したタイミング信号に基づいて内部クロックを同期させるようにと、内部クロックを同期させた後、第２の動作モードに切り替え、前記第２の動作モードにおけるスリープ状態間隔が、前記第１の動作モードにおけるスリープ状態間隔よりも、持続時間がより長いように構成されている。
【００５１】
いくつかの実施形態では、前記第１の動作モードは第１の同期された動作モードであり、前記第２の動作モジュールは第２の同期された動作モードであり、前記第１の同期された動作モードは、前記第２の同期された動作モードよりもより低いレベルの同期に対応する。いくつかの実施形態では、第２の移動体通信デバイスからの前記タイミング信号が、外部タイミング信号との同期を達成させた後に、第２の通信デバイスによって送信されるタイミング情報を通信する。さまざまな実施形態では、前記外部タイミング信号は、グローバルポジショニング信号と、ｅＬｏｒａｎ信号と、ＬＯＲＡＮ−Ｃ信号と、ＣＤＭＡ２０００信号と、ＷＷＶＢ信号と、ＤＴＶ信号と、ＬＴＥ信号とのうちの１つである。
【００５２】
前記外部タイミング信号の直接的な受信に基づいて、または、前記外部タイミング信号を受信した別の通信デバイスからの信号に基づいて、前記外部タイミング信号と同期されているか否かを前記第２の通信デバイスが決定するように、プロセッサ６０２はさらに構成されている。タイミング同期に対する基準は、いくつかの実施形態では、前記第２の移動体通信デバイスによって送信される情報によって通信される。さまざまな実施形態では、第２の移動体通信デバイスからの前記タイミング信号は、ビーコン信号であり、このビーコン信号は、ビーコン信号の送信タイミングを制御するために使用されるタイミング同期基準を示している情報を含む。
【００５３】
プロセッサ６０２は、前記第２の通信デバイスが、前記外部タイミング信号の直接的な受信に基づいて外部タイミング信号と同期されていると決定されたときに、前記第２の動作モードの間、タイミング同期信号を周期的に送信するか否かを決めるようにさらに構成されている。いくつかの実施形態では、プロセッサ６０２は、前記第２の動作モードの間、タイミング同期信号を周期的に送信するか否かを決めるように構成されている一環として、残りのバッテリー電力の関数としてタイミング同期信号を周期的に送信するか否かを決めるようにさらに構成されている。例えば、いくつかの実施形態では、プロセッサ６０２は、電力を節約するために、残りのバッテリー電力がしきい値より低い場合にはタイミング同期信号を送信しないように構成されている。いくつかの実施形態では、プロセッサ６０２は、前記第２の動作モードの間、タイミング同期信号を周期的に送信するか否かを決めるように構成されている一環として、第２の移動体通信デバイスから受信したタイミング信号の強度の関数としてタイミング同期信号を周期的に送信するか否かを決めるようにさらに構成されている。例えば、いくつかの実施形態では、プロセッサ６０２は、第２の移動体通信デバイスから受信したタイミング信号の受信した電力レベルが、あるしきい値より、例えば、予め定められたしきい値より高い場合にはタイミング同期信号を送信しないように構成されている。その理由は、その受信した電力レベルがしきい値より高い場合には、第２の移動体通信デバイスからのタイミング信号と、第１の移動体通信デバイスから送信されたタイミング同期信号とのカバレッジエリア中で実質的なオーバーラップになる可能性があるからである。いくつかの実施形態では、プロセッサ６０２は、前記第２の動作モードの間、タイミング同期信号を周期的に送信するか否かを決めるように構成されている一環として、前記外部タイミング信号の受信に基づいて前記外部信号と同期されている他の通信デバイスから、周期的なベースで受信されている第１のタイプのタイミング信号の数の関数として、タイミング同期信号を周期的に送信するか否かを決めるようにさらに構成されている。いくつかの実施形態では、プロセッサ６０２は、前記第２の動作モードの間、タイミング同期信号を周期的に送信するか否かを決めるように構成されている一環として、他の通信デバイスから、周期的なベースで受信されている第１のタイプのタイミング信号の数の関数として、タイミング同期信号を周期的に送信するか否かを決めるようにさらに構成されている。
【００５４】
プロセッサ６０２は、予め定められた間隔でタイミング同期信号を周期的に送信することが決められたときに、残りのバッテリー電力の量と；前記第２の移動体通信デバイスから受信した第１のタイプのタイミング信号の周期性とのうちの少なくとも１つの関数として送信されるべきタイミング同期信号の周期性を決定する（例えば、スペーシングと、第２のデバイスからの信号間中に埋める間隔期間とにおける受信した同期信号を補完する態様で、例えば、同期信号を送信する）ようにさらに構成されている。例えば、プロセッサ６０２は、電力を節約するために、残りの電力レベルがしきい値より低いときには、タイミング同期信号を第１のレートで送信するように構成され、残りの電力レベルがしきい値より高いときには、タイミング同期信号を第２のレートで送信するように構成されており、第１のレートは、第２のレートよりもより低い。いくつかの実施形態では、プロセッサ６０２は、受信したタイミング同期信号を補完する態様でタイミング同期信号を送信するように構成され、例えば、プロセッサ６０２は、スペーシングで、および／または、第２の移動体通信デバイスから受信されている第１のタイプのタイミング信号間の、循環するタイミング構成に埋める間隔期間でタイミング同期信号を送信するように構成されている。
【００５５】
プロセッサ６０２は、前記送信されたタイミング同期信号が、前記外部タイミング信号を受信した別の通信デバイスからの信号に基づくことを示している情報を送信するようにさらに構成されている。前記第２の移動体通信デバイスが、前記外部タイミング信号を受信しなかったデバイスからのタイミング信号の受信に基づいて、外部タイミング信号と同期させることを決定したときに、前記第２の動作モードの間に予め定められた時間間隔での前記外部信号ソースとの同期を示しているタイミング同期信号を送信するのをやめるように前記第１の移動体通信デバイスを制御するように、プロセッサ６０２はさらに構成されている。
【００５６】
プロセッサ６０２は、第２の移動体通信デバイスから前記タイミング信号を受信するのをやめたときに前記第１の動作モードに戻すようにさらに構成されている。
【００５７】
さまざまな実施形態では、第２の移動体通信デバイスからの前記タイミング信号は、前記ライセンスされていない周波数帯域中で受信され、プロセッサ６０２は、前記ライセンスされていない周波数帯域中で動作させるように構成されている。いくつかの実施形態では、第２の移動体通信デバイスからの前記タイミング信号は、ビーコン信号中で受信される。いくつかのこのような実施形態では、前記ビーコン信号は、ＷｉＦｉ準拠信号である。いくつかの実施形態では、前記ビーコン信号は、ビーコン信号がグローバルタイミング信号に同期されていることを明確に示している。
【００５８】
いくつかの実施形態では、前記グローバルタイミング信号は、グローバルポジショニング信号である。他の実施形態では、前記グローバルタイミング信号は、ｅＬｏｒａｎ信号である。いくつかの他の実施形態では、前記グローバルタイミング信号は、ＬＯＲＡＮ−Ｃ信号である。いくつかの他の実施形態では、前記グローバルタイミング信号は、ＣＤＭＡ２０００信号である。さらなる別の実施形態では、前記グローバルタイミング信号は、ＷＷＶＢ信号である。さらなる別の実施形態では、グローバルタイミング信号は、ＤＴＶ信号である。さらなる別の実施形態では、グローバルタイミング信号は、ＬＴＥ信号である。
【００５９】
いくつかの実施形態では、デバイス６００は、前記外部タイミング信号を受信するための受信機を備えていない。いくつかの実施形態では、プロセッサ６０２は、前記グローバルタイミング信号を受信するように構成されていない。
【００６０】
図７は、モジュールのアセンブリ７００であり、このモジュールのアセンブリ７００は、図６中で図示されている移動体通信デバイス６００中で使用することができ、そして、いくつかの実施形態において使用される。アセンブリ７００におけるモジュールは、図６のプロセッサ６０２内のハードウェア中で、例えば、個々の回路のように実現することができる。代替的には、モジュールは、ソフトウェア中で実現してもよく、および、図６中で示されている、通信デバイス６００のメモリ６０４中に記憶させてもよい。図６では実施形態を単一のプロセッサとして、例えば、コンピュータとして示されているが、プロセッサ６０２は、１つ以上のプロセッサとして、例えば、コンピュータとして実現してもよいことを正しく認識すべきである。ソフトウェア中で実現されるときに、モジュールは、プロセッサによって実行されるときに、モジュールに対応する機能を実現するようにプロセッサを、例えば、コンピュータ６０２を構成するコードを含む。いくつかの実施形態では、プロセッサ６０２は、モジュールのアセンブリ７００のモジュールのそれぞれを実現するように構成されている。モジュールのアセンブリ７００がメモリ６０４中に記憶されている実施形態では、メモリ６０４は、モジュールが対応する機能を、少なくとも１つのコンピュータに、例えば、プロセッサ６０２に実現させるための、コードを、例えば、それぞれのモジュールに対する個々のコードを含むコンピュータ読み取り可能媒体を具備するコンピュータプログラムプロダクトである。
【００６１】
完全にハードウェアベースまたは完全にソフトウェアベースのモジュールを使用してもよい。しかしながら、ソフトウェアとハードウェアとの任意の組み合わせ（例えば、実現される回路）モジュールを使用して機能を実現してもよいことを正しく認識すべきである。正しく認識すべきように、図７中で図示されているモジュールは、図５の方法フローチャート５００で図示した対応するステップの機能を実行するように、通信デバイス６００を、または、プロセッサ６０２のようなここでのエレメントを制御、および／または、構成する。
【００６２】
モジュールのアセンブリ７００は、第１の動作モードで動作している間、第２の移動体通信デバイスから、第１のタイプのタイミング信号を受信し、前記第１のタイプのタイミング信号が、グローバルタイミング信号ソースに同期されているモジュール７０４と、第２の移動体通信デバイスから受信したタイミング信号に基づいて、内部クロックを同期させるモジュール７０６と、第２の動作モジュールに切り替え、前記第２の動作状態におけるスリープ状態間隔が、前記第１の動作モードにおけるスリープ状態間隔よりも、持続時間がより長いモジュール７０８とを備えている。モジュールのアセンブリ７００は、第２の移動体通信デバイスからの第１のタイプのタイミング信号を監視するモジュール７１０と、第１のタイプのタイミング信号が、第２の移動体通信デバイスから受信したか否かの関数として、動作を制御するモジュール７１４と、第１のタイプのタイミング信号が監視の間に受信されなかったことが決定されたときに、第１の動作モードに切り替えるモジュール７１６と、第１のタイプのタイミング信号が、第１のタイプのタイミング信号を監視している間に受信されていなかったときに、前記第１の動作モードにある間に、第２のタイプのタイミング信号に基づいて他のデバイスと同期させるモジュール７１８とをさらに備えている。モジュール７１０は、第２の移動体通信デバイスから、第１のタイプのタイミング信号を受信するモジュール７１２を備えている。
【００６３】
モジュールのアセンブリ７００は、残りのバッテリー電力を監視するモジュール７２２と、現行ベースで受信されている第１のタイプのタイミング信号の数を追跡するモジュール７２４と、受信したタイミング信号の電力レベルを、例えば、第２のデバイスから最も最近に受信した第１のタイプのタイミング信号を決定するモジュール７２８とをさらに備える。モジュール７２４は、現行ベースで受信されている第１のタイプの直接的な受信ベースのタイミング信号の数を追跡するモジュール７２６を備えている。
【００６４】
モジュールのアセンブリ７００は、前記第２の通信デバイスが、前記外部タイミング信号の直接的な受信に基づいて、または、前記外部タイミング信号を受信した別の通信デバイスからの信号に基づいて、前記外部タイミング信号と同期されているか否かを決定するモジュール７３８をさらに備えている。前記第２の通信デバイスが、前記外部タイミング信号の直接的な受信に基づいて、または、前記外部タイミング信号を受信した別の通信デバイスからの信号に基づいて、前記外部タイミング信号と同期されているか否かを示している情報を復元させるモジュール７４０を、モジュール７３８は備えている。
【００６５】
モジュールのアセンブリ７００は、前記第２の通信デバイスが、外部タイミング信号の直接的な受信に基づいて、外部タイミング信号と同期されているか否かの関数として動作を制御するモジュール７４２と、前記第２の動作モードの間、タイミング同期信号を周期的に送信するか否かを決めるモジュール７４４と、予め定められた時間間隔での前記外部信号ソースとの同期を示しているタイミング同期信号を送信するのをやめるように前記第１の移動体通信デバイスを制御するモジュール７４６と、タイミング同期信号を送信するか否かの決定の関数として動作を制御するモジュール７５０と、残りのバッテリー電力の量と、第２の移動体通信デバイスから受信した第１のタイプのタイミング信号の周期性と、のうちの少なくとも１つの関数として送信されるべきタイミング同期信号の周期性を決定するモジュール７５２と、予め定められた時間間隔での前記外部信号ソースとの同期を示しているタイミング同期信号を送信するのをやめるように第１の移動体通信デバイスを制御するモジュール７６２とをさらに備えている。
【００６６】
モジュールのアセンブリ７００は、前記タイミング同期信号を発生させるモジュール７５４と、前記発生されたタイミング同期信号を送信するモジュール７５８とをさらに備えている。モジュール７５４は、前記タイミング同期信号が、前記外部タイミング信号を受信した別の通信デバイスからの信号に基づくことを示している情報を前記タイミング同期信号中に含めるモジュール７５６を備えている。モジュール７５８は、前記タイミング同期信号が、前記外部タイミング信号を受信した別の通信デバイスからの信号に基づくことを示している情報を送信するモジュール７６０を備えている。
【００６７】
モジュールのアセンブリ７００は、現在の動作モードを決定するモジュール７６６と、前記第１の動作モードにあるときに、第１の持続時間を持つスリープ状態間隔を実現するモジュール７６８と、前記第２の動作モードにあるときに、第２の持続時間を持つスリープ状態間隔を実現し、前記第２の持続時間が、前記第１の持続時間よりも長いモジュール７７０とをさらに備えている。
【００６８】
さまざまな実施形態では、第１の動作モードは第１の同期された動作モードであり、第２の動作モードは第２の同期された動作モードであり、第１の同期された動作モードは、前記第２の同期された動作モードよりもより低いレベルの同期に対応する。いくつかの実施形態では、第２の移動体通信デバイスからのタイミング信号は、外部タイミング信号との同期を達成させた後に、第２の通信デバイスによって送信されるタイミング情報を通信する。いくつかの実施形態では、外部タイミング信号は、グローバルポジショニング信号と、ｅＬｏｒａｎ信号と、ＬＯＲＡＮ−Ｃ信号と、ＣＤＭＡ２０００信号と、ＷＷＶＢ信号と、ＤＴＶ信号と、ＬＴＥ信号とのうちの１つである。いくつかの実施形態では、タイミング同期に対する基準は、第２の通信デバイスによって送信される情報によって通信される。いくつかの実施形態では、第２の移動体通信デバイスからのタイミング信号は、ビーコン信号であり、このビーコン信号は、ビーコン信号の送信タイミングを制御するために使用されるタイミング同期基準を示している情報を含む。
【００６９】
いくつかの実施形態では、モジュール７４４は、残りのバッテリーの関数として、前記第２の動作モードの間にタイミング同期信号を周期的に送信するか否かのその決定を行う。いくつかの実施形態では、モジュール７４４は、第２の移動体通信デバイスから受信したタイミング信号の強度の関数として、前記第２の動作モードの間にタイミング同期信号を周期的に送信するか否かのその決定を行う。いくつかの実施形態では、モジュール７４４は、前記外部タイミング信号の受信に基づいて前記外部信号と同期されている他の通信デバイスから周期的なベースで受信されている第１のタイプのタイミング信号の数の関数として、前記第２の動作モードの間にタイミング同期信号を周期的に送信するか否かのその決定を行う。いくつかの実施形態では、モジュール７４４は、他の通信デバイスから周期的ベースで受信されている第１のタイプのタイミング信号の数の関数として、前記第２の動作モードの間にタイミング同期信号を周期的に送信するか否かのその決定を行う。
【００７０】
さまざまな実施形態では、第２の移動体通信デバイスからのタイミング信号が、ライセンスされていない周波数帯域中で受信される。いくつかの実施形態では、第２の移動体通信デバイスからのタイミング信号は、ビーコン信号中で受信される。いくつかの実施形態では、第２の移動体通信デバイスからのタイミング信号は、ビーコン信号である。いくつかの実施形態では、ビーコン信号は、Ｗｉ−Ｆｉ準拠信号である。さまざまな実施形態では、ビーコン信号は、ビーコン信号がグローバルタイミング信号に同期されていることを明確に示している。いくつかのこのような実施形態では、グローバルタイミング信号は、グローバルポジショニング信号である。いくつかの実施形態では、モジュールのアセンブリ７００を備えている移動体通信デバイスは、前記外部タイミング信号を受信する受信機を備えていない。
【００７１】
図８の図８００は、グローバルタイミングソースに関して移動体通信が同期されていない第１の動作モードにおける、例示的な移動体通信デバイスによって使用される例示的なタイミング構成を示している。図８００の例示的なタイミング構成は、ピア発見間隔と、示されているように混交しているスリープ間隔（ピア発見間隔８０２、スリープ間隔８１０、ピア発見間隔８１２、スリープ間隔８２０、ピア発見間隔８２２、スリープ間隔８３０、．．．）とを含む。ピア発見間隔８０２は、第１の動作モードで動作する例示的な移動体通信デバイスの観点から、リッスン部分８０４と、送信部分８０６と、リッスン部分８０８とを含む。同様に、ピア発見間隔８１２は、第１の動作モードで動作する例示的な移動体通信デバイスの観点から、リッスン部分８１４と、送信部分８１６と、リッスン部分８１８とを含む。同様に、ピア発見間隔８２２は、第１の動作モードで動作する例示的な移動体通信デバイスの観点から、リッスン部分８２４と、送信部分８２６と、リッスン部分８２８とを含む。
【００７２】
いくつかの実施形態では、第１の動作モードで動作している外部グローバルタイミング同期ソースの利益がない、ローカルなピアツーピアネットワーク中で動作している複数の移動体通信デバイスが存在する。いくつかのこのような実施形態では、デバイスのうちの１つ、例えば、ローカルなピアツーピアネットワークを開始した第１のデバイスが、他のデバイスに対する粗同期ソースとして機能するローカルビーコン信号を送信する。
【００７３】
図８の図８５０は、第２の動作モードにおける例示的な移動体通信デバイスによって使用される例示的なタイミング構成を示している。第２の動作モードでは、移動体通信は、グローバルタイミングソース、例えば、ＧＰＳ、ｅＬＯＲＡＮ、ＬＯＲＡＮ−Ｃ、ＣＤＭＡ２０００、ＷＷＶＢ、ＤＴＶまたはＬＴＥソースに関して同期される。図８５０の例示的なタイミング構成は、ピア発見間隔と、示されているように混交しているスリープ間隔（ピア発見間隔８５２、スリープ間隔８６０、ピア発見間隔８６２、スリープ間隔８７０．．．）とを含む。ピア発見間隔８５２は、第２の動作モードで動作する例示的な移動体通信デバイスの観点から、リッスン部分８５４と、送信部分８５６と、リッスン部分８５８とを含む。同様に、ピア発見間隔８６２は、第２の動作モードで動作する例示的な移動体通信デバイスの観点から、リッスン部分８６４と、送信部分８６６と、リッスン部分８６８と含む。
【００７４】
第２の動作モードでは、この例示的な実施形態において、ピア発見部分の始まりが、外部タイミング基準信号に同期される。加えて、この例では、スリープ間隔の終わりは、外部タイミング基準信号に同期される。外部タイミング信号８５１、例えば、ＧＰＳ信号は、期間８８０を持つ外部タイミング信号８６１として反復する。
【００７５】
第１の動作モードにおける動作を第２の動作モードにおける動作と比較するとき、スリープ間隔は、第２の動作モードがより長いことが観察され得る。第２の動作モードにおける、より高いレベルの同期は、第１の動作モードと比較して、第２の動作モードのタイミング構成において、より長いスリープ間隔を可能にする。加えて、この例では、第１の動作モードにおけるピア発見間隔は、第２の動作モードにおけるよりもより長い。第１の動作モードと比較したときに、第２の動作モードにおける、より長いスリープ間隔、および／または、より短いピア発見間隔は、第１の動作モードと比べて、第２の動作モードにおいて、減少したバッテリー消費を促進する。
【００７６】
図９は、タイミング同期情報を通信するために、いくつかの例示的な実施形態において使用される、異なる例示的なタイミング信号をリストアップしているテーブル９００である。第１列９０２は、第１のタイプのタイミング信号の、第１のサブタイプが、グローバルタイミング信号ソース、例えば、ＧＰＳに同期されているＷｉ−Ｆｉ準拠ビーコンであり、ビーコンを発生されて送信したデバイスによる、外部タイミング信号、例えば、ＧＰＳ信号の直接的な受信に基づくことを記述している。第１のタイプのタイミング信号、第１のサブタイプは、外部タイミング信号受信機を備えている、例えば、ＧＰＳ受信機を備えているデバイスによって発生されて送信される。
【００７７】
第２列９０４は、第１のタイプのタイミング信号の、第２のサブタイプが、グローバルタイミング信号ソース、例えば、ＧＰＳに同期されているが、外部タイミング信号についての間接のタイミング情報を提供するＷｉ−Ｆｉ準拠ビーコンであることを記述している。第１のタイプのタイミング信号、第２のサブタイプを発生および送信するデバイスは、外部タイミング信号を直接的に受信しなかった、例えば、ＧＰＳ信号を直接的に受信しなかった。第１のタイプのタイミング信号、第２のサブタイプは、外部タイミング信号受信機を備えていない、例えば、ＧＰＳ受信機を備えていないデバイスによって発生されて送信される。
【００７８】
第３列９０６は、第２のタイプのタイミング信号がＷｉ−Ｆｉ準拠ビーコンであることを記述している。このＷｉ−Ｆｉ準拠ビーコンでは、タイミング基準は、ローカルなピアツーピアネットワークを開始したローカルなピアデバイスの基準である。第２のタイプのタイミング信号は、外部タイミング信号受信機を備えていない、例えば、ＧＰＳ受信機を備えていないデバイスによって発生および送信される。
【００７９】
図１０は、例示的なタイミング信号１０００の、例えば、Ｗｉ−Ｆｉ準拠ビーコンの例示的なフォーマットを図示している図である。例えば、図１０に関して記述するフォーマットは、いくつかの実施形態では、図９に関して記述した異なるタイミング信号のうちの任意のものに適用する。
【００８０】
例示的なタイミング信号１０００は、タイプ識別子フィールド１００２を含み、オプション的フィールドのうちの１つ以上（１００４、１００６、１００８、１０１０、１０１２）を含んでいてもよく、そして時には含む。タイプ識別子フィールド１００２は、タイミング信号１０００が第１のタイプのタイミング信号であるか否か、または、第２のタイプのタイミング信号であるか否かを通信する。タイプ識別子フィールドを使用して、グローバルタイミング同期とローカルタイミング同期を区別する。
【００８１】
タイミング信号が第１のタイプのタイミング信号であるときに、サブタイプの識別子フィールド１００４を使用する。サブタイプの識別子フィールド１００４は、タイミング信号が、外部信号の直接的な受信に基づくか否か、または、発見した間接的な間接のタイミング情報に基づくか否かを示している情報を通信する。
【００８２】
タイミング信号期間フィールド１００６、例えば、ビーコン期間フィールドは、タイミング信号の周期性を示している情報、例えば、ビーコン信号を伝える。いくつかの実施形態では、フィールド１００６における情報は、複数の予め定められた期間、例えば、２００ミリ秒、１秒、または、１０秒のうちの１つを識別する。外部タイミング基準期間１００８は、外部タイミング基準信号の周期性を、例えば、グローバル基準として使用されているＧＰＳ信号の周期性を示している情報を伝える。外部時間基準タイプフィールド１０１０は、複数の代替的な外部タイミング基準タイプを、例えば、ＧＰＳ、ｅＬｏｒａｎ、ＬＯＲＡＮ−Ｃ、ＣＤＭＡ２０００またはＷＷＶＢ、ＤＴＶまたはＬＴＥのうちの１つを識別する情報を伝える。外部タイミング基準フィールド１０１２に対するタイミングオフセットは、外部タイミング基準信号に関する例示的なタイミング信号１００のタイミングオフセットを示している情報を伝える。
【００８３】
図１１−図１３は、外部基準信号受信機がないデバイスが、外部基準信号ソースを、例えば、ＧＰＳを、グローバルタイミング同期に対する基準として使用するピアツーピアネットワークに組み込まれている例を提供する。タイミング同期情報の中継を通して、統合を達成する。外部基準信号ソースを使用しての、ピアツーピアネットワークへの統合に続いて、統合されたデバイスは、都合よく、より高いレベルの同期による、より効率的な態様で動作させることができる。例えば、より長い間隔の間、スリープ状態のままであり、バッテリー電力を節約することができる。
【００８４】
図１１００は、例示的なＧＰＳ衛星１１０２と、例示的な第１のピアツーピアネットワーク１１１８と、例示的な第２のピアツーピアネットワーク１１２０と、例示的な第３のピアツーピアネットワーク１１２２とを図示している。ＧＰＳ衛星１１０２は、外部タイミング同期ソースであり、時にはグローバルタイミングソースとも呼ばれる。ＧＰＳ衛星１１０２が、外部タイミング同期信号１１２８、例えば、ＧＰＳ信号を発生および送信する。第１のピアツーピアネットワーク１１１８は、グローバルタイミングソースに関して同期される。ピアツーピアネットワーク１１１８は、ワイヤレス端末Ａ １１０４とワイヤレス端末Ｂ １１０６とを含み、それぞれのワイヤレス端末は、ＧＰＳ受信機モジュール（１１２４、１１２６）をそれぞれ備えている。ＧＰＳ衛星１１０２からの外部タイミング信号１１２８が、ＷＴ Ａ １１０４とＷＴ Ｂ １１０６とによって受信されて処理される。ＷＴ Ａ １１０４およびＷＴ Ｂ １１０６が、外部タイミング同期ソース信号に関して同期させる。
【００８５】
第２のピアツーピアネットワークは、ＷＴ Ｆ １１１４と、ＷＴ Ｇ １１１６と、ＷＴ Ｃ １１０８とを含む。第２のピアツーピアネットワークでは、ＷＴ Ｆ １１１４は、第２のタイプのビーコン信号１１４４を発生および送信しており、この信号は、ネットワーク１１２０に対するタイミング同期ソースとして機能する。例えば、ＷＴ Ｆ １１１４は、ピアツーピアネットワーク１１２０を開始したかもしれず、したがって、ローカル同期ソースとして機能する。第２のタイプのビーコン１１４４は、図９の列９０６にしたがった、例えば、第２のタイプのタイミング信号である。ピアツーピアネットワーク１１２０では、ワイヤレス端末は、ＷＴ Ｆ １１１４からの、第２のタイプのビーコン１１４４に関して同期される。
【００８６】
第３のピアツーピアネットワークは、ＷＴ Ｄ １１１０と、ＷＴ Ｅ １１１２と、ＷＴ Ｃ １１０８とを含む。第２のピアツーピアネットワークでは、ＷＴ Ｄ １１１０は、第２のタイプのビーコン信号１１４２を発生および送信しており、この第２のタイプのビーコン信号１１４２は、ネットワーク１１２２に対するタイミング同期ソースとして機能する。例えば、ＷＴ Ｄ １１１０は、ピアツーピアネットワーク１１２２を開始したかもしれず、したがって、ローカル同期ソースとして機能する。第２のタイプのビーコン１１４２は、例えば、図９の列９０６にしたがった、第２のタイプのタイミング信号である。ピアツーピアネットワーク１１２２では、ワイヤレス端末は、ＷＴ Ｄ １１１０からの、第２のタイプのビーコン１１４２に関して同期される。
【００８７】
この例では、デバイス（ＷＴ Ｃ １１０８、ＷＴ Ｄ １１１０、ＷＴ Ｅ １１１２、ＷＴ Ｆ １１１４、およびＷＴ Ｇ １１１６）のそれぞれは、ＧＰＳ受信機モジュールを備えておらず、したがって、デバイス（１１０８、１１１０、１１１２、１１１４、および１１１６）は、ＧＰＳ信号１１２８を、外部グローバルタイミング同期ソースを直接的に受信して処理することができない。
【００８８】
この例では、第１のネットワーク１１１８において達成されるタイミング同期のレベルは、第２または第３のピアツーピアネットワーク（１１２０、１１２２）のいずれかで達成されるタイミング同期のレベルよりも高い。スリープ状態は、外部同期ソースに依存していないピアツーピアネットワーク（１１２０、１１２２）のいずれかにおけるよりも、外部同期ソースに依存するピアツーピアネットワーク１１１８におけるほうがより長い。加えて、ピアツーピアネットワーク１１２０のタイミングは、ピアツーピアネットワーク１１２２のタイミングから独立している。したがって、ネットワーク１１２０および１１２２の双方に参加しているワイヤレス端末Ｃ １１０８は、双方のネットワークに対するタイミングを調整および追跡している必要がある。一般的に、ＷＴ Ｃ １１０８が、双方のネットワークに参加できるように、ＷＴ Ｃ １１０８は、電源投入されたままであり、より少ないスリープ状態時間を得る。例えば、そのＷＴ Ｃ １１０８は、双方のネットワークに対応している発見時間間隔において電源投入される必要がある。
【００８９】
この例では、ＷＴ（１１０８、１１１０、１１１２、１１１４、１１１６）は、ブロック（１１３２、１１３４、１１３６、１１３８、１１４０）によって示されているように現在、それぞれ、第１の動作モードで動作している。ＷＴ Ｂ １１０６は、通信されているタイミング情報が外部タイミング信号１１２８の直接的な受信に基づくことを通信する第１のタイプのビーコン信号１１３０を発生および送信する。例えば、第１のタイプのビーコン信号１１３０は、図９の列９０２によって示されているように、第１のタイプのタイミング信号−サブタイプ１にしたがったフォーマットに対応する。ビーコン信号１１３０は、いくつかの実施形態では、図１０の信号１０００のフォーマットにしたがったものである。ブロックＤ １１３２は、デバイス送信ビーコン信号１１３０による、グローバルタイミング信号の直接的な受信に基づく情報をビーコン信号１１３０が通信することを表している。例えば、ビーコン信号１１３０のフィールド１００４は、直接的であることを示している。ビーコン信号１１３０は、他のフィールド（１００６、１００８、１０１２）中の他の関連タイミング情報を通信することに加えて、フィールド１００２中の第１のタイプまたはグローバルタイプと、フィールド１０１０中の識別子ＧＰＳも通信してもよい。例えば、ＷＴ Ａは、ＷＴ Ｂに大変近くにあり、および／または、ＷＴ Ａは、現在のバッテリー電力の低いレベルを持っているので、ＷＴ Ａは、タイミング同期信号を送信しないことを決める。
【００９０】
ＷＴ Ｂ １１０６の受信範囲中にあるＷＴ Ｃ １１０８は、第１のタイプのビーコン信号１１３０を受信および検出する。いくつかの実施形態では、ＷＴ Ｃ １１０８は、参加者である、例えば、リッスンしている第１のモード発見間隔である１つ以上のローカルなピアツーピアネットワークに対応している信号を受信するように動作されている時間間隔の間に、第１の動作モードにある間、第１のタイプのビーコンの第１のサブタイプを監視する。いくつかの実施形態では、ＷＴ Ｃ １１０８は、その公称ローカルネットワーク動作に加えて、付加的な時間間隔の間に、第１の動作モードにある間、第１のタイプの第１のタイプのビーコンを監視する。例えば、ネットワーク１１２０において監視しているピア発見のレートよりも、より低いレートで、ＷＴ Ｃ １１０８は、グローバルタイミングソースに関して同期されているネットワークからの、第１のタイプのビーコン信号の第１のサブタイプを監視する。この例では、ＷＴ Ｃ １１０８は、第１のタイプのビーコン１１３０を受信し、ビーコン１１３０によって通信される情報を発見する。
【００９１】
図１２は、タイミング同期情報の伝播を図示している図１２００である。受信したビーコン１１３０に基づいて、ＷＴ Ｃ １１０８は、グローバルタイミングソースに関して同期させる。加えて、ＷＴ Ｃ １１０８は、タイミング同期情報を伝播する決定を行う。例えば、ＷＴ Ｃ １１０８は、タイミング同期ビーコン１２０２の送信をサポートするのに十分な残りのバッテリー電力を持つことを決定する。ＷＴ Ｃ １１０８は、例えば、残りのバッテリー電力の関数としてビーコン１２０２を送信するレートも決定する。他のファクタの関数である、例えば、受信したビーコンの数、受信したタイプのビーコンの数すなわちサブタイプ、および／または、ＷＴ Ｃ １１０８が予期する、その近くにあるデバイスの数である、ビーコン１２０２を送信するか否かの、ならびに／あるいは、さまざまな実施形態における送信のレートの決定は、受信および処理するビーコン１２０２からの利益を、受信、使用するだろう、ならびに／あるいは、受信および処理するビーコン１２０２からの利益を得ることもあり得る。
【００９２】
この例では、ＷＴ Ｃ １１０８は、第１のタイプのビーコン１２０２を発生および送信することを決める。第１のタイプのビーコン１２０２は、外部タイミング基準についてのタイミング情報が間接的に通信されていることを通信する。ＷＴ Ｃ １１０８は、ＧＰＳ信号１１２８を直接的に受信して処理していないが、別のデバイス、ＷＴ Ｂ １１０６から伝えられたタイミング同期情報上で中継している。例えば、第１のタイプのビーコン信号１２０２は、図９の列９０４によって示されているような、第１のタイプのタイミング信号−サブタイプ２にしたがったフォーマットに対応している。ビーコン信号１２０２は、いくつかの実施形態では、図１０の信号１０００のフォーマットにしたがっている。ブロックＩ １２０４は、ビーコン信号１２０２が、ＷＴ Ｃ１１０８による、信号１１２８の直接的な受信に基づかず、受信したビーコン信号に基づくグローバルタイミング基準についてのタイミング情報を通信することを表している。例えば、ビーコン信号１２０２では、フィールド１００４は、間接的であることを示している。ビーコン信号１２０２は、他のフィールド（１００６、１００８、１０１２）中の他の関連タイミング情報を通信することに加えて、フィールド１００２における第１またはグローバルタイプも通信して、フィールド１０１０におけるＧＰＳを識別してもよい。
【００９３】
図１３の図１３００は、ＷＴ（ＷＴ Ｄ １１１０、ＷＴ Ｅ １１１２、ＷＴ Ｆ １１１４、ＷＴ Ｇ １１１６）が第２のサブタイプの第１のタイプのビーコン信号１２０２を受信して処理したことを図示している。図１３は、ＷＴ（ＷＴ Ｃ １１０８、ＷＴ Ｄ １１１０、ＷＴ Ｅ １１１２、ＷＴ Ｆ １１１４、ＷＴ Ｇ １１１６）が、ブロック（１３０４、１３０６、１３０８、１３１０、１３１２）によって示されているように、第２の動作モードに移行することを示している。第１の動作モードでは、ＷＴは、ローカルなタイミング基準と同期され、第２の動作モードにある間、ＷＴは、外部信号ソース、例えば、ＧＰＳに関して同期される。加えて、同期のレベルは、第１のモードにおけるよりも、第２のモードにおけるほうが、より高い。ワイヤレス端末は、第１のモードにおけるよりも、第２のモードにおいて、より長いスリープ状態も有する。外部タイミング信号１１２８に関するタイミング情報の伝播に基づいて、ビーコン１１３０とビーコン１２０２とを通して、ＧＰＳ受信機モジュールがないワイヤレス端末は、グローバルタイミングソースに関して同期されるネットワークに組み込まれている。ネットワーク１３０２は、拡張されたピアツーピアネットワークであり、このピアツーピアネットワークでは、ワイヤレス端末、例えば、移動体デバイス、（ＷＴ Ａ １１０４、ＷＴ Ｂ １１０６、ＷＴ Ｃ １１０８、ＷＴ Ｄ １１１０、ＷＴ Ｅ １１１２、ＷＴ Ｆ １１１４、ＷＴ Ｇ １１１６）が、グローバルタイミングソース、例えば、ＧＰＳに関して、直接的または間接的のいずれかで同期される。拡張されたネットワーク１３０２は、図１１のネットワーク１１１８の拡張である。ＷＴ Ｃ １１０８は、例えば、図５のフローチャート５００にしたがった方法を実現する、および／または、図６、および／または、図７にしたがって実現される、移動体通信デバイスである。
【００９４】
さまざまな方法および装置は、電力効率のよいシグナリング、例えば、電力効率のよいＷｉ−Ｆｉの使用に関連する。さまざまな実施形態では、ネットワーク、例えば、ピアツーピアアドホックネットワークは、外部タイミングソースに同期される。いくつかの実施形態では、ワイヤレス通信デバイス、例えば、ＷｉＦｉデバイスは、帯域外の信号であるグローバルタイミングソース信号に同期させ、ワイヤレス通信デバイスは、いくつかのアプリケーションをランするために、例えば、ＷｉＦｉチャネルを通してアプリケーションをランするために、このタイミング情報を使用する。いくつかのワイヤレス通信デバイスは、グローバルタイミングソース信号を直接的に受信するための受信機を備える。さまざまな実施形態では、グローバルタイミング信号を受信するワイヤレスデバイスは、例えば、Ｗｉ−Ｆｉビーコンを通して、タイミング同期情報を伝播してもよく、時には伝播する。グローバルタイミングソース信号を受信するための受信機を備えていない、いくつかのワイヤレス通信デバイスは、グローバルタイミング信号ソースについてのタイミング同期を通信するＷｉ−Ｆｉビーコン信号を受信して、そのビーコンから受信した情報に基づいて、グローバルタイミング信号ソースに関して同期させる。したがって、いくつかのワイヤレス通信デバイス、例えば、高能力デバイスは、外部タイミング同期ソースとの同期を直接的に達成するとともに、他のデバイス、例えば、より低い能力デバイスは、外部タイミング同期ソースとのタイミング同期を間接的に達成する。
【００９５】
例示的なグローバル外部タイミングソースは、例えば、ＧＰＳ、ｅＬｏｒａｎ／ＬＯＲＡＮ−Ｃ、ＣＤＭＡ２０００、ＷＷＶＢ、ＤＴＶおよびＬＴＥである。これらのソースのうちのいくつかは、数マイクロ秒まで正確なタイミング情報を提供することができる。ソースのうちのいくつかは、屋内とともに屋外で動作することができる。
【００９６】
いくつかの実施形態では、ワイヤレス通信デバイスがタイミング同期情報を取得した後、ワイヤレス通信デバイスは、このグローバルタイミング同期を受身モードで使用して、ウェークアップするときを決定する。例えば、１つの例示的な実施形態では、デバイスは、秒ごとにウェークアップし、いくつかのアプリケーションを実行するだろう。デバイスは同じタイミングソースに同期されることになるので、このソリューションを使用するデバイスのそれぞれは、同じときに起動するであろうことを留意すべきである。アプリケーションの例は、
１．ピア発見／存在情報を交換
２．（例えば、マルチホップ通信に対する）トラフィックルーティング情報を交換
３．接続セットアップ要求
４．送信する強度を示している要求を監視するトラフィック
を含むが、これらに限定されない。
【００９７】
これらの例は、たとえ、デバイスがスリープ状態にあったとしても、デバイスは実行しているかもしれないので、これらのデバイスの効率のよいインプリメンテーションはデバイスのスタンバイ時間に影響を与えるであろうアプリケーションであることに留意されたい。
【００９８】
いくつかの例示的なインプリメンテーションでは、タイミング情報は、ＧＰＳから取得され、交換されている情報は、ピア発見／存在情報である。１つの例示的な実施形態では、デバイスは（ＧＰＳ秒に同期させる）秒ごとに起動し、ある一定の時間の量の間、起動のままである。この時間は、固定させることができ、または、見られる干渉環境に依存することができる。デバイスが関与しているアクティブな接続が存在しない場合、デバイスは、次の秒までスリープになる。
【００９９】
いくつかの実施形態では、少なくともいくつかのワイヤレス通信デバイスは、レガシーＷｉＦｉチップを使用し、外部グローバル信号ソースからの信号を直接的に受信するための受信機を備えていない、例えば、ワイヤレス通信デバイスは、ＧＰＳ受信機モジュールを備えていない。
【０１００】
グローバル外部信号を受信する能力を、例えば、ＧＰＳ受信機を持つ、いくつかの増強したワイヤレス通信デバイスは、外部ソース信号を、例えば、ＧＰＳ信号を直接的に受信して使用し、グローバルタイミング基準に同期させる。これらの増強したデバイスは、このタイミング情報を獲得するために、これらの増強したデバイス中にハードウェアを持っている。外部タイミングソースに同期させた後、増強されたデバイスは、いくつかの実施形態では、アドホックネットワークを、例えば、外部信号ソースに同期されている増強したピアツーピアネットワークを開始、または、アドホックネットワークに、例えば、外部信号ソースに同期されている増強したピアツーピアネットワークに参加する。いくつかの実施形態では、グローバルタイミング信号ソースに同期されている、増強されたネットワークにおけるデバイスは、
・予め同意された名前、または、ＳＳＩＤ、例えば、「グローバル的に同期されるＷｉＦｉ」
・予め同意されたビーコン期間、例えば、１００ミリ秒、１秒、１０秒
・例えば、ＧＰＳ秒に同期される予め同意されたタイミング基準、のうちの１つ以上を使用する。
【０１０１】
いくつかの実施形態では、グローバル外部信号受信機能力がないデバイスは、最初に、グローバル時間基準に同期されないが、グローバルタイミング信号ソースに同期された増強されたネットワークの存在を監視する。例えば、外部信号受信機がないデバイス、例えば、ＧＰＳ受信機がないデバイスが、より遅いレートで、増強されたネットワークの存在を監視する、例えば、予め同意されたＳＳＩＤがグローバル的に同期されたＷｉ−Ｆｉを示していることを通信するビーコン信号を監視する。増強されたネットワークが発見され、外部タイミング信号ソース情報が、受信されたビーコン信号から取得された後、デバイスは、増強されたネットワークに加わることができ、時には加わる。外部受信機能力がないデバイスは、ビーコン期間によるデューティーサイクルのために、適した動作に対して電力効率を達成することができる。例えば、外部受信機能力がないデバイスは、外部信号ソースに間接的に同期されているモードで動作しているときには、外部同期信号ソースに同期されていないモードにあるときよりも、短いオンタイムを持つことができ、より長いスリープ時間を持つことができる。いくつかの実施形態では、外部信号ソースに同期されたときには、デバイスは、外部信号ソースに同期されていないときよりも、少なくとも平均して、１０倍のスリープ時間の量を持つ。他の実施形態では、スリープ時間の増加は、少なくとも平均して、２０倍、３０倍、４０倍、または、５０倍さえもあり、この増加は、デバイスが外部タイミング信号に同期されていないときに生じるものである。さまざまな実施形態では、外部信号受信機がないデバイスは、外部タイミング信号に関連するタイミング情報を、外部信号ソース受信機がない他のデバイスに、さらに伝播することができ、時にはさらに伝播する。
【０１０２】
このソリューションを使用するデバイスのそれぞれは、類似した時間において起動するだろうことに留意されたい。さまざまな実施形態では、伝播遅延は最小である。さまざまな実施形態では、外部信号受信機がない、例えば、ＧＰＳ受信機がないデバイスは、外部信号ソース受信機を、例えば、ＧＰＳ受信機を持つデバイスと同じタイミングソースに間接的に同期される。これは、
１．ピア発見／存在情報を交換
２．（例えば、マルチホップ通信に対する）トラフィックルーティング情報を交換
３．接続セットアップ要求
４．送信する強度を示している要求を監視するトラフィックのようなアプリケーションに対して、電力効率のよい動作を可能にすることができる。
【０１０３】
これらの例のそれぞれは、デバイスが、スリープモードにある場合でさえ実行しているかもしれないので、これらの効率的なインプリメンテーションは、デバイスのスタンバイ時間を非常に増加させるだろうアプリケーションであることに留意されたい。
【０１０４】
タイミング基準がＧＰＳ秒である例示的なインプリメンテーションでは、ビーコン期間は１秒であり、交換されている情報はピア発見／存在情報である。このケースでは、デバイスは、（ＧＰＳ秒に同期させる）秒ごとに起動し、ある一定の時間の量の間、起動のままである。この時間は、固定させることができ、または、見られる干渉環境に依存することもあり得る。デバイスが関与しているアクティブ接続が存在しない場合、デバイスは次の秒までスリープ状態になる。
【０１０５】
この例示的なインプリメンテーションに参加する外部信号ソース受信機がない１つ以上のデバイスは、外部信号ソース受信機を備えているデバイスの近接（マルチホップ）内にあってもよく、通常、外部信号ソース受信機を備えているデバイスの近接（マルチホップ）内にある。外部信号ソース受信機がない、例えば、ＧＰＳ受信機がない、いくつかのデバイスは、アップグレードされているレガシーデバイスである。例えば、いくつかの実施形態では、例えば、ゆっくりな時間スケールで、増強されたネットワークについてリッスンするファームウェアおよび／またはソフトウェアを構成するように、ファームウェアおよび／またはソフトウェアは、レガシーデバイス中で交換される。その後、増強されたネットワークを発見した後、デバイスは、その増強されたネットワークに参加してもよく、時には、その増強されたネットワークに参加し、例えば、結果として、電力効率がよくなる。
【０１０６】
さまざまな実施形態の技術を、ソフトウェア、ハードウェア、および／または、ソフトウェアとハードウェアとを組み合わせたものを使用して実現してもよい。さまざまな実施形態は、装置に、例えば、移動体端末、基地局、通信システムのような移動体ノードに向けられている。さまざまな実施形態は、方法に、例えば、移動体ノード、基地局、および／または通信システム、例えば、ホストを制御する、および／または、動作させる方法にも向けられている。さまざまな実施形態は、機械にも、例えば、コンピュータ、読み取り可能媒体、例えば、ＲＯＭ、ＲＡＭ、ＣＤ、ハードディスク等にも向けられており、これらは、方法の１つ以上のステップを実現するための機械を制御するための機械読み取り可能命令を含む。
【０１０７】
開示したプロセスにおける、ステップの特定の順序または階層は、例示的なアプローチの例であることが理解される。設計選択に基づいて、本開示の範囲内のままで、プロセスにおけるステップの特定の順序または階層を再構成してもよいことが理解される。付随する方法の請求項は、サンプルの順序で、さまざまステップの要素を表しており、示した特定の順序または階層に限定することを意味しているわけではない。
【０１０８】
さまざまな実施形態では、１つ以上の方法に対応するステップを、例えば、信号処理、信号発生、および／または、送信ステップを実行するための１つ以上のモジュールを使用して、ここで記述したノードを実現する。したがって、いくつかの実施形態では、モジュールを使用して、さまざまな特徴を実現する。このようなモジュールは、ソフトウェア、ハードウェア、ソフトウェアとハードウェアとを組み合わせたもの使用して実現してもよい。上述した方法または方法ステップの多くは、機械を、例えば、付加的なハードウェアを持つ、または、持たない汎用コンピュータを制御して、例えば１つ以上のノードにおいて、上述した方法のすべて、または、一部分を実現するために、メモリデバイス、例えば、ＲＡＭ、フロッピー（登録商標）ディスク等のような、機械読み取り可能媒体中に、例えば、１つ以上のノード中に含まれている、ソフトウェアのような機械実行可能な命令を使用して実現することができる。したがって、数ある中でも、さまざまな実施形態は、機械に、例えば、プロセッサおよび関係するハードウェアに、上述した方法のステップのうちの１つ以上を実行させるための機械実行可能な命令を含む機械読み取り可能媒体に向けられている。いくつかの実施形態は、この発明の１つ以上の方法のステップのうちの１つ、複数のもの、またはすべてを実現するように構成されているプロセッサを含む、デバイスに、例えば、通信ノードに向けられている。
【０１０９】
いくつかの実施形態では、１つ以上のデバイスの、例えば、アクセスノードおよび／またはワイヤレス端末のような通信ノードのプロセッサ、例えばＣＰＵは、通信ノードによって実行されているとして記述した方法のステップを実行するように構成されている。１つ以上のモジュールを、例えば、ソフトウェアモジュールを使用してプロセッサ構成を制御することによって、ならびに／あるいは、記載したステップ、および／または、制御プロセッサ構成を実行するようにプロセッサ、例えば、ハードウェアモジュール中にハードウェアを含めることによって、プロセッサの構成を達成することができる。したがって、すべての実施形態ではなく実施形態は、プロセッサが含まれるデバイスによって実行されるさまざまな記述した方法のステップのそれぞれに対応するモジュールを含むプロセッサを持つ、デバイス、例えば、通信ノードに向けられている。すべての実施形態ではないがいくつかの実施形態では、デバイス、例えば、通信ノードは、プロセッサが備えられているデバイスによって実行されるさまざまな記述した方法のステップのそれぞれに対応するモジュールを備える。モジュールは、ソフトウェア、および／または、ハードウェアを使用して実現してもよい。
【０１１０】
いくつかの実施形態は、さまざまな機能、ステップ、動作、および／または演算、例えば、上述した１つ以上のステップを、コンピュータに、または、複数のコンピュータに実現させるためのコードを含むコンピュータ読み取り可能媒体を含むコンピュータプログラムプロダクトに向けられている。実施形態に基づいて、コンピュータプログラムプロダクトは、実行されるべきそれぞれのステップのための異なるコードを、含むことができ、時には含む。したがって、コンピュータプログラムプロダクトは、方法の、例えば、通信デバイスまたはノードを制御する方法の、それぞれの個々のステップに対するコードを含んでいてもよく、時には含む。コードは、ＲＡＭ（ランダムアクセスメモリ）、ＲＯＭ（リードオンリーメモリ）、または他のタイプの記憶デバイスのような、コンピュータ読み取り可能媒体上に記憶されている、機械、例えば、コンピュータ実行可能な命令の形態であってもよい。コンピュータプログラムプロダクトに向けられていることに加えて、いくつかの実施形態は、上述した１つ以上の方法の、さまざまな機能、ステップ、動作、および／または、演算のうちの１つ以上を実現するように構成されているプロセッサに向けられている。したがって、いくつかの実施形態は、プロセッサ、例えば、ここで記述した方法のステップのいくつか、または、すべてを実現するように構成されている、プロセッサ、例えば、ＣＰＵに向けられている。プロセッサは、本出願中で記述した、例えば、通信デバイスまたは他のデバイスにおいて使用するためのものであってもよい。
【０１１１】
ＯＦＤＭシステムの文脈で説明したが、さまざまな実施形態の方法および装置のうちの少なくともいくつかが、多くの非ＯＦＤＭおよび／または非セルラシステムを含む、幅広い範囲の通信システムに適用可能である。
【０１１２】
上述したさまざまな実施形態の方法および装置上の数々の付加的な変形が、上記の記述の観点から、当業者に明らかになるだろう。このような変形は、範囲内であると考えるべきである。方法および装置は、ＣＤＭＡ、直交周波数分割多重化（ＯＦＤＭ）、および／または、通信デバイスの間のワイヤレス通信リンクを提供するのに使用されてもよい、さまざまな他のタイプの通信技術とともに使用される。いくつかの実施形態では、１つ以上の通信デバイスは、ＯＦＤＭおよび／またはＣＤＭＡを使用して、移動体ノードとの通信リンクを確立するアクセスポイントとして実現される、ならびに／あるいは、ワイヤードまたはワイヤレス通信リンクを通して、インターネットまたは別のネットワークに接続性を提供してもよい。さまざまな実施形態では、方法を実現するために、移動体ノードは、ノートブックコンピュータ、パーソナルデータアシスタント（ＰＤＡ）、あるいは、受信機／送信機回路と、論理および／またはルーチンとを含む他のポータブルデバイスとして実現される。  
以下に、本願出願の当初の特許請求の範囲に記載された発明を付記する。
［１］ライセンスされていない周波数帯域中で動作している第１の移動体通信デバイスを動作させる方法において、
前記方法は、
第１の動作モードで動作している間、第２の移動体通信デバイスから第１のタイプのタイミング信号を受信することと、
前記第２の移動体通信デバイスからの前記受信したタイミング信号に基づいて、内部クロックを同期させることと、
前記内部クロックを同期させた後、第２の動作モードに切り替えることとを含み、
前記第１のタイプのタイミング信号は、グローバルタイミング信号ソースに同期されており、
前記第２の動作モードにおけるスリープ状態間隔は、前記第１の動作モードにおけるスリープ状態間隔よりも、持続時間がより長い方法。
［２］前記第２の移動体通信デバイスからの前記タイミング信号は、外部タイミング信号との同期を達成させた後、前記第２の通信デバイスによって送信されるタイミング情報を通信する上記［１］の方法。
［３］前記外部タイミング信号は、グローバルポジショニング信号と、ｅＬｏｒａｎ信号と、ＬＯＲＡＮ−Ｃ信号と、ＣＤＭＡ２０００信号と、ＷＷＶＢ信号、ＤＴＶ信号と、ＬＴＥ信号とのうちの１つである上記［２］の方法。
［４］前記第２の移動体通信デバイスからの前記タイミング信号が受信されなくなったときに、前記第１の動作モードに戻すことをさらに含む上記［１］の方法。
［５］前記第２の移動体通信デバイスからの前記タイミング信号は、前記ライセンスされていない周波数帯域中で受信される上記［１］の方法。
［６］前記第２の移動体通信デバイスからの前記タイミング信号は、ビーコン信号中で受信される上記［２］の方法。
［７］第１の移動体通信デバイスにおいて、
第１の動作モードで動作している間、第２の移動体通信デバイスから第１のタイプのタイミング信号を受信する手段と、
前記第２の移動体通信デバイスからの前記受信したタイミング信号に基づいて、内部クロックを同期させる手段と、
内部クロックを同期させた後、第２の動作モードに切り替える手段とを具備し、
前記第１のタイプのタイミング信号は、グローバルタイミング信号ソースに同期されており、
前記第２の動作モードにおけるスリープ状態間隔は、前記第１の動作モードにおけるスリープ状態間隔よりも、持続時間がより長い第１の移動体通信デバイス。
［８］前記第２の移動体通信デバイスからの前記タイミング信号は、外部タイミング信号との同期を達成させた後、前記第２の通信デバイスによって送信されるタイミング情報を通信する上記［７］の第１の移動体通信デバイス。
［９］前記外部タイミング信号は、グローバルポジショニング信号と、ｅＬｏｒａｎ信号と、ＬＯＲＡＮ−Ｃ信号と、ＣＤＭＡ２０００信号と、ＷＷＶＢ信号と、ＤＴＶ信号と、ＬＴＥ信号とのうちの１つである上記［８］の第１の移動体通信デバイス。
［１０］前記第２の移動体通信デバイスからの前記タイミング信号が受信されなくなったときに、前記第１の動作モードに戻す手段をさらに具備する上記［７］の第１の移動体通信デバイス。
［１１］前記第２の移動体通信デバイスからの前記タイミング信号は、前記ライセンスされていない周波数帯域中で受信される上記［７］の第１の移動体通信デバイス。
［１２］前記第２の移動体通信デバイスからの前記タイミング信号は、ビーコン信号中で受信される上記［８］の第１の移動体通信デバイス。
［１３］第１の移動体通信デバイスにおいて使用するためのコンピュータプログラムプロダクトにおいて、
前記コンピュータプログラムプロダクトは、
第１の動作モードで動作している間、第２の移動体通信デバイスから第１のタイプのタイミング信号を少なくとも１つのコンピュータに受信させるためのコードと、
前記第２の移動体通信デバイスからの前記受信したタイミング信号に基づいて、内部クロックを前記少なくとも１つのコンピュータに同期させるためのコードと、
内部クロックを同期させた後、第２の動作モードに前記少なくとも１つのコンピュータに切り替えさせるためのコードとを含むコンピュータ読み取り可能媒体を具備し、
前記第１のタイプのタイミング信号は、グローバルタイミング信号ソースに同期されており、
前記第２の動作モードにおけるスリープ状態間隔は、前記第１の動作モードにおけるスリープ状態間隔よりも、持続時間がより長いコンピュータプログラムプロダクト。
［１４］前記第２の移動体通信デバイスからの前記タイミング信号は、外部タイミング信号との同期を達成させた後、前記第２の通信デバイスによって送信されるタイミング情報を通信する上記［１３］のコンピュータプログラムプロダクト。
［１５］前記外部タイミング信号は、グローバルポジショニング信号と、ｅＬｏｒａｎ信号と、ＬＯＲＡＮ−Ｃ信号と、ＣＤＭＡ２０００信号と、ＷＷＶＢ信号と、ＤＴＶ信号と、ＬＴＥ信号とのうちの１つである上記［１４］のコンピュータプログラムプロダクト。
［１６］第１の移動体通信デバイスにおいて、
第１の動作モードで動作している間、第２の移動体通信デバイスから第１のタイプのタイミング信号を受信するようにと、
第２の移動体通信デバイスからの前記受信したタイミング信号に基づいて、内部クロックを同期させるようにと、
内部クロックを同期させた後、第２の動作モードに切り替えるように構成されている少なくとも１つのプロセッサと、
前記少なくとも１つのプロセッサに結合されているメモリとを具備し、
前記第１のタイプのタイミング信号は、グローバルタイミング信号ソースに同期されており、
前記第２の動作モードにおけるスリープ状態間隔は、前記第１の動作モードにおけるスリープ状態間隔よりも、持続時間がより長い第１の移動体通信デバイス。
［１７］前記第２の移動体通信デバイスからの前記タイミング信号は、外部タイミング信号との同期を達成させた後、前記第２の通信デバイスによって送信されるタイミング情報を通信する上記［１６］の第１の移動体通信デバイス。
［１８］前記外部タイミング信号は、グローバルポジショニング信号と、ｅＬｏｒａｎ信号と、ＬＯＲＡＮ−Ｃ信号と、ＣＤＭＡ２０００信号と、ＷＷＶＢ信号と、ＤＴＶ信号と、ＬＴＥ信号とのうちの１つである上記［１７］の第１の移動体通信デバイス。
［１９］前記少なくとも１つのプロセッサは、
前記第２の移動体通信デバイスからの前記タイミング信号が受信されなくなったときに、前記第１の動作モードに戻すようにさらに構成されている上記［１６］の第１の移動体通信デバイス。
［２０］前記第２の移動体通信デバイスからの前記タイミング信号は、前記ライセンスされていない周波数帯域中で受信される上記［１７］の第１の移動体通信デバイス。
【図１】
0005394580.tif 000002
【図２】
0005394580.tif 000003
【図３】
0005394580.tif 000004
【図４】
0005394580.tif 000005
【図５Ａ】
0005394580.tif 000006
【図５Ｂ】
0005394580.tif 000007
【図５Ｃ】
0005394580.tif 000008
【図５Ｄ】
0005394580.tif 000009
【図６】
0005394580.tif 000010
【図７Ａ】
0005394580.tif 000011
【図７Ｂ】
0005394580.tif 000012
【図８】
0005394580.tif 000013
【図９】
0005394580.tif 000014
【図１０】
0005394580.tif 000015
【図１１】
0005394580.tif 000016
【図１２】
0005394580.tif 000017
【図１３】
0005394580.tif 000018